(57)【要約】複数の粒子を含む洗濯ケア組成物であって、当該粒子の少なくとも１つが担体とロイコ着色剤とを含み、当該粒子の少なくとも８０％が、１．２５ｇ／ｃｍ３未満の密度及び０．１ｍｇ〜５ｇの質量を有し、各粒子は１０ｍｍ未満の最大寸法を有する、洗濯ケア組成物。洗濯物の処理プロセスであって、洗濯洗浄機又は洗濯用たらいに、２〜６０ｇの洗濯ケア組成物を投入する工程を含む、プロセス。織物の白化は、より新しい衣類の色に悪影響を及ぼすことなくもたらされる。
2021516729.tif 000002
【特許請求の範囲】
【請求項１】
複数の粒子（９０）を含む洗濯ケア組成物であって、前記粒子の少なくとも１つが、
担体と、
ロイコ着色剤と、を含み、
前記粒子の少なくとも８０％は約１．２５ｇ／ｃｍ３未満の密度を有し、
前記粒子の少なくとも８０％は約０．１ｍｇ〜約５ｇの質量を有し、
前記粒子のそれぞれが、約１０ｍｍ未満の最大寸法を有する、洗濯ケア組成物。
【請求項２】
前記ロイコ着色剤が、ジアリールメタンロイコ、トリアリールメタンロイコ、オキサジンロイコ、チアジンロイコ、ヒドロキノンロイコ、アリールアミノフェノールロイコ、及びこれらの混合物からなる群から選択される、請求項１に記載の洗濯ケア組成物。
【請求項３】
前記ロイコ着色剤が、
【化１】
2021516729.tif 000015
（ｆ）これらの混合物
からなる群から選択される１つ以上の化合物から選択され、
式Ｉ〜Ｖのその酸化形態に対する比が、少なくとも１：３であり、環Ａ、Ｂ、及びＣのそれぞれにおける各個々のＲｏ、Ｒｍ及びＲｐ基は、独立して、水素、重水素、及びＲ５からなる群から選択され、各Ｒ５は、独立して、ハロゲン、ニトロ、アルキル、置換アルキル、アリール、置換アリール、アルカリール、置換アルカリール、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、前記３つの環Ａ、Ｂ、又はＣのうちの少なくとも１つにおけるＲｏ及びＲｍ基の少なくとも１つは、水素であり、各Ｒｐは、独立して、水素、−ＯＲ１及び−ＮＲ１Ｒ２から選択され、
Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、及びホスフィンオキシドからなる群から選択され、
Ｒ１、Ｒ２及びＲ３は、独立して、水素、アルキル、置換アルキル、アリール、置換アリール、アルカリール、置換アルカリール、及びＲ４からなる群から選択され、Ｒ４は、１つ以上の有機モノマーで構成される有機基であり、前記モノマーの分子量が２８〜５００の範囲であり、
ｅ及びｆは、独立して、０〜４の整数であり、
各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、
各Ｒ２５は、独立して、単糖部分、二糖部分、オリゴ糖部分、多糖部分、−Ｃ（Ｏ）Ｒ１、−Ｃ（Ｏ）ＯＲ１、−Ｃ（Ｏ）ＮＲ１Ｒ２からなる群から選択され、
各Ｒ２２及びＲ２３は、独立して、水素、アルキル基、及び置換アルキル基からなる群から選択され、
Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、
Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、
ｇ及びｈは、独立して、０〜４の整数であり、
各Ｒ３１及びＲ３２は、独立して、アルキル基、置換アルキル基、アリール基、置換アリール基、アルカリール、置換アルカリール、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）ＯＲ２、−ＮＲ１Ｃ（Ｏ）ＳＲ２、−ＮＲ１Ｃ（Ｏ）ＮＲ２Ｒ３、−ＯＲ１、−ＮＲ１Ｒ２、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、
−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリール、置換アルカリール、及びＲ４からなる群から選択され、
Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４であるとき、任意の２つの隣接するＲ３１基が結合して、５員以上の縮合環を形成してもよく、前記縮合環における原子の２つ以下が窒素原子であってもよく、
Ｘ４０は、酸素原子、硫黄原子、及びＮＲ４５からなる群から選択され、Ｒ４５は、独立して、水素、重水素、アルキル、置換アルキル、アリール、置換アリール、アルカリール、置換アルカリール、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、
Ｒ４０及びＲ４１は、独立して、−ＯＲ１及び−ＮＲ１Ｒ２からなる群から選択され、
ｊ及びｋは、独立して、０〜３の整数であり、
Ｒ４２及びＲ４３は、独立して、アルキル、置換アルキル、アリール、置換アリール、アルカリール、置換アルカリール、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−ＯＲ１、−ＮＲ１Ｒ２からなる群から選択され、
Ｒ４４は、−Ｃ（Ｏ）Ｒ１、−Ｃ（Ｏ）ＮＲ１Ｒ２、及び−Ｃ（Ｏ）ＯＲ１であり、前記化合物のいずれかに存在する任意の電荷が、好適な独立して選択される内部又は外部対イオンで平衡化される、請求項１又は２に記載の洗濯ケア組成物。
【請求項４】
前記ロイコ着色剤が、式ＶＩの構造に一致する：
【化２】
2021516729.tif 000016
（式中、各Ｒ４は、独立して、Ｈ、メチル、エチル、（（ＣＨ２ＣＨ２Ｏ）ａ（Ｃ３Ｈ６Ｏ）ｂ）Ｈ、及びこれらの混合物からなる群から独立して選択され、好ましくは、少なくとも１つのＲ４基は、（（ＣＨ２ＣＨ２Ｏ）ａ（Ｃ３Ｈ６Ｏ）ｂ）Ｈであり、各添え字ａは、独立して、１〜１００の整数であり、各添え字ｂは、独立して、０〜５０の整数であり、全てのＲ４基中の全ての独立して選択される前記ａ整数の合計は、２００以下、好ましくは１００以下であり、全てのＲ４基中の全ての独立して選択される前記ｂ整数の合計は、１００以下、好ましくは５０以下であり、好ましくは、少なくとも２つのＲ４基は、メチル及びエチルから選択され、最も好ましくは、構造ＶＩ中の少なくとも１つのＮは、メチル及びエチルから選択される２つのＲ４基、好ましくはＭｅで置換されている）、請求項１〜３のいずれか一項に記載の洗濯ケア組成物。
【請求項５】
前記ロイコ着色剤が、式ＶＩＩの構造に一致する：
【化３】
2021516729.tif 000017
（式中、各添え字ｃは、独立して、０、１又は２であり、好ましくは、各ｃは１であり、各Ｒ４は、独立して、Ｈ、Ｍｅ、Ｅｔ、（（ＣＨ２ＣＨ２Ｏ）ａ（Ｃ３Ｈ６Ｏ）ｂ）Ｈ、及びこれらの混合からなる群から選択され、好ましくは、各Ｒ４は（（ＣＨ２ＣＨ２Ｏ）ａ（Ｃ３Ｈ６Ｏ）ｂ）Ｈであり、各添え字ａは、独立して、１〜５０、より好ましくは１〜２５、更により好ましくは１〜２０、１〜１５、１〜１０、１〜５又は更に１〜２の整数であり、各添え字ｂは、独立して、０〜２５、より好ましくは０〜１５、更により好ましくは１〜５又は更には１〜３の整数であり、前記ロイコ着色剤中の全ての独立して選択される前記ａ整数の合計は、１００以下、より好ましくは８０以下、最も好ましくは６０、４０、２０、１０以下又は更には５以下であり、前記ロイコ着色剤中の全ての独立して選択される前記ｂ整数の合計は、５０以下、より好ましくは４０以下、最も好ましくは３０、２０、又は更には１０以下である）、請求項１〜４のいずれか一項に記載の洗濯ケア組成物。
【請求項６】
前記ロイコ着色剤が、式ＶＩＩＩの構造に一致する：
【化４】
2021516729.tif 000018
（式中、Ｒ８はＨ又はＣＨ３であり、各添え字ｂは、独立して、平均して約１〜２である）、請求項１〜５のいずれか一項に記載の洗濯ケア組成物。
【請求項７】
前記粒子が、香料を含む、請求項１〜６のいずれか一項に記載の洗濯ケア組成物。
【請求項８】
前記粒子が、香料を実質的に含まない、請求項１〜７のいずれか一項に記載の洗濯ケア組成物。
【請求項９】
前記粒子が、ガス吸蔵体を含む、請求項１〜８のいずれか一項に記載の洗濯ケア組成物。
【請求項１０】
前記粒子のそれぞれが体積を有し、前記粒子内の前記ガス吸蔵体が、前記粒子の約０．５体積％〜約５０体積％を占める、請求項１〜９のいずれか一項に記載の洗濯ケア組成物。
【請求項１１】
前記担体が、水溶性有機アルカリ金属塩、水溶性無機アルカリ土類金属塩、水溶性有機アルカリ土類金属塩、水溶性炭水化物、水溶性ケイ酸塩、水溶性尿素、デンプン、クレイ、不水溶性ケイ酸塩、クエン酸カルボキシメチルセルロース、脂肪酸、脂肪族アルコール、水素添加タローのグリセリルジエステル、グリセロール、ポリエチレングリコール、ポリビニルアルコール、及びこれらの組み合わせからなる群から選択される、請求項１〜１０のいずれか一項に記載の洗濯ケア組成物。
【請求項１２】
前記粒子が、前記粒子の約２０重量％〜約９９．９重量％の前記担体を含む、請求項１〜１１のいずれか一項に記載の洗濯ケア組成物。
【請求項１３】
前記担体が、約２０００〜約１３０００の重量平均分子量を有するポリエチレングリコールである、請求項１〜１２のいずれか一項に記載の洗濯ケア組成物。
【請求項１４】
ヒンダードフェノール、ジアリールアミン、及びこれらの混合物からなる群から選択される約０．００１％〜約２％の酸化防止剤を更に含む、請求項１〜１３のいずれか一項に記載の洗濯ケア組成物。
【請求項１５】
洗濯洗浄機又は洗濯用たらいに、請求項１〜１４のいずれか一項に記載の洗濯ケア組成物を約２ｇ〜約６０ｇ投入する工程を含む、洗濯物の処理方法。
【発明の詳細な説明】
【技術分野】
【０００１】
洗濯ケア組成物。
【背景技術】
【０００２】
経年により、織物基材は、光、空気、汚れへの暴露、及び基材に含まれる繊維の自然劣化により、色あせ又は黄変する傾向がある。したがって、これら織物基材を視覚的に改良し、色あせ及び黄変を相殺するために、消費者製品を着色するための高分子着色剤の使用が従来技術において周知となっている。例えば、織物用途においては、蛍光増白剤又は青味剤のいずれかの白化剤を使用することが周知である。しかしながら、従来の白化剤は、他の配合成分（例えば、香料など）との有害な相互作用に起因して、貯蔵時に有効性を失う傾向がある。更に、このような白化剤は、織物基材上への付着が不十分になり得る。したがって、配合者は、貯蔵時に失われたあらゆる有効性を中和するために使用される白化剤の濃度を増加させる、及び／又は織物基材上に付着するのに利用可能な白化剤の量を増加させる傾向がある。
【０００３】
また、ロイコ染料は、特定の化学的又は物理的なトリガに曝露された際に、無色又はわずかに有色の状態から有色の状態への変化を呈することも従来技術において既知である。生じる呈色の変化は、典型的には、人間の目で視覚的に知覚可能である。これらの化合物の多くは、可視光領域（４００〜７５０ｎｍ）においていくらかの吸光度を有するので、多かれ少なかれいくらかの色を有する。本発明では、染料は、その適用濃度及び条件ではそれほど発色しなかったが、トリガされた形態では著しく発色する場合、「ロイコ染料」であるとみなされる。トリガされた際の色変化は、４００〜７５０ｎｍの範囲、好ましくは５００〜６５０ｎｍの範囲、最も好ましくは５３０〜６２０ｎｍの範囲におけるロイコ染料分子のモル減衰係数（一部の文献ではモル吸光係数、モル吸収係数、及び／又はモル吸光率としても知られている）の変化に起因する。トリガ前後のロイコ染料のモル減衰係数の増加は、５０％超、より好ましくは２００％超、最も好ましくは５００％超であるべきである。
【０００４】
ロイコ化合物は、洗濯ケア組成物（例えば、洗濯洗剤）中の白化剤として使用することができる。このような用途では、無着色又は軽度に着色された状態であるロイコ化合物の添加は、洗濯ケア組成物の審美性に大きな影響を及ぼさない。次に、ロイコ化合物は、所望の白化効果を織物基材に付与する有色状態に変換されることができる。
【０００５】
ロイコ着色剤の目的は、概して、これらの織物基材を外観上白くし、基材の色あせ又は黄変を弱めることである。典型的には、ロイコ着色剤は洗濯洗剤に見出すことができ、したがって洗濯プロセス中に織物基材に適用される。しかし、ロイコ着色剤が洗濯洗剤中にある場合、消費者には、自身が望む洗濯結果を得るべく調整する余地がない。更に白化を行うには、洗剤を追加するしかなく、このような追加には、多量でかつ無駄の多い可能性のある量のクリーニング成分が必要とされ、結果として芳香剤が過剰に付着することとなる場合もある。したがって、消費者はクリーニング成分を効率的に使用したいという望みと、芳香を適量に調整したいという望みとのバランスを取ることができず、かつ、処理する具体的な布について必要とする程度に応じ様々な強度で白化をもたらすこともできない。
【０００６】
結果として、ロイコ着色剤が、ロイコ着色剤以外の低色又は色の粒子からロイコ着色剤の効果をもたらしながら、調整可能な用量、オンデマンドの白化に対する消費者の望みを満足するために、ロイコ着色剤を添加剤として独立して使用することができるよう、洗濯ケア組成物が必要とされている。
【０００７】
色調技術を使用して白色度効果をもたらす上での課題の１つは、消費者が多くの場合、パステルカラーなどの薄く着色されるよう設計された衣類を所有しており、色調剤、シェーディング剤、又は青味剤を適用することで、そのような衣類の意図された色を損なう可能性があり、それが消費者の不満につながることである。着古した綿衣類（色補正の効果があり得る、黄変が経時的に生じている可能性が高いもの）上に選択的に付着し、色補正を必要としない新しく清浄な綿衣類上にあまり付着しない、色調付与のためのアプローチを開発することが引き続き必要とされている。
【０００８】
本発明者らは、ロイコ着色剤が、新しい清浄な綿よりも、消費者由来の着古した綿衣類上に付着する傾向性を示し得ることを見出した。したがって、ロイコ着色剤は、必要とされる場所に白化効果をより良好にもたらすことができ、そのような色調付与が望ましくないと考え得る、新しく清浄な綿衣類に色調を付与することを、より良好に回避することができる。
【発明の概要】
【発明が解決しようとする課題】
【０００９】
驚くべきことに、ロイコ着色剤が組み込まれてまれてる本開示の洗濯ケア組成物は、組成物の色に影響することなく、織物基材の白化に有効であるだけではなく、より新しい衣類の色に悪影響を与えることなく、消費者が望む量の白化剤を洗濯処理に加えるための清浄で好便な手段を提供することが見出された。
【課題を解決するための手段】
【００１０】
複数の粒子を含む洗濯ケア組成物であって、粒子の少なくとも１つ、より好ましくは当該粒子の少なくとも１０％、２５％、又は更に５０％が、担体と、ロイコ着色剤と、を含み、粒子の少なくとも８０％は約１．２５ｇ／ｃｍ３未満の密度を有し、粒子の少なくとも８０％は約０．１ｍｇ〜約５ｇの質量を有し、粒子のそれぞれは、約１０ｍｍ未満の最大寸法を有する、組成物。
【００１１】
洗濯物の処理プロセスであって、洗濯洗浄機又は洗濯用たらいに、洗濯する布地３ｋｇあたり、約０．１ｇ〜約２００ｇ、又は約０．５ｇ〜約１００ｇ、又は約２．０ｇ〜約６０ｇ、又は約５ｇ〜約２５ｇの粒子を投入する工程であって、粒子は担体とロイコ着色剤とを含み、粒子の少なくとも８０％は約１．２５ｇ／ｃｍ３未満の密度を有し、粒子の少なくとも８０％は約０．１ｍｇ〜約５ｇの質量を有し、実質的に全ての粒子は約１０ｍｍ未満の最大寸法を有し、かかる投入は、１ｐｐｂ〜５０００ｐｐｍ、好ましくは１０ｐｐｂ〜５０ｐｐｍ、更により好ましくは２５ｐｐｂ〜５ｐｐｍ、又は更に５０ｐｐｂ〜２ｐｐｍのロイコ着色剤を含む水溶液をもたらす、投入する工程と、所望により、織物をすすぎ及び乾燥する工程と、を含む、処理プロセス。
【図面の簡単な説明】
【００１２】
【図１】粒子を形成するための装置である。
【図２】装置の一部である。
【図３】装置の端面図である。
【図４】粒子の輪郭図である。
【図５】複数の粒子を含む、洗濯ケア組成物である。
【発明を実施するための形態】
【００１３】
定義
本明細書で使用するとき、用語「アルコキシ」は、Ｃ１〜Ｃ８アルコキシ、及びブチレンオキシド、グリシドールオキシド、エチレンオキシド、又はプロピレンオキシドなどの繰り返し単位を有するポリオールのアルコキシ誘導体を含むことを意図する。
【００１４】
本明細書で使用するとき、互換可能な用語「アルキレンオキシ」及び「オキシアルキレン」、並びに互換可能な用語「ポリアルキレンオキシ」及び「ポリオキシアルキレン」は、概して、以下の繰り返し単位：−Ｃ２Ｈ４Ｏ−、−Ｃ３Ｈ６Ｏ−、−Ｃ４Ｈ８Ｏ−、及びこれらの任意の組み合わせの１つ又は２つ以上をそれぞれ含有する分子構造を指す。これら基に対応する非限定的な構造としては、例えば、−ＣＨ２ＣＨ２Ｏ−、−ＣＨ２ＣＨ２ＣＨ２Ｏ−、−ＣＨ２ＣＨ２ＣＨ２ＣＨ２Ｏ−、−ＣＨ２ＣＨ（ＣＨ３）Ｏ−、及び−ＣＨ２ＣＨ（ＣＨ２ＣＨ３）Ｏ−が挙げられる。更に、ポリオキシアルキレン構成要素は、Ｃ２〜２０アルキレンオキシ基、グリシジル基、又はこれらの混合物から選択される１つ以上のモノマーからなる群から選択されてもよい。
【００１５】
本明細書において、用語「エチレンオキシド」、「プロピレンオキシド」及び「ブチレンオキシド」は、それぞれ、これらの典型的な表記である「ＥＯ」、「ＰＯ」及び「ＢＯ」で示される場合がある。
【００１６】
本明細書で使用するとき、用語「アルキル」及び「アルキル末端保護された」は、置換又は無置換の炭化水素から水素原子を除去することによって形成される任意の一価基を意味することを意図する。非限定的な例としては、Ｃ１〜Ｃ１８アルキル基、一態様では、Ｃ１〜Ｃ６アルキル基を含む分岐状又は非分岐状、置換又は無置換のヒドロカルビル部分が挙げられる。
【００１７】
本明細書で使用するとき、特に明記しない限り、用語「アリール」は、Ｃ３〜Ｃ１２アリール基を含むことを意図する。用語「アリール」は、炭素環式及び複素環式のアリール基の両方を指す。
【００１８】
本明細書で使用するとき、用語「アルカリール」は、任意のアルキル置換アリール置換基及びアリール置換アルキル置換基を指す。より具体的には、この用語は、追加の置換基を含んでいても含んでいなくてもよいＣ７〜１６アルキル置換アリール置換基及びＣ７〜１６アリール置換アルキル置換基を指すことを意図する。
【００１９】
本明細書で使用するとき、用語「洗剤組成物」は、洗濯ケア組成物の一部であり、布地を洗濯するための製品が挙げられるがこれに限定されない洗浄組成物を含む。このような組成物は、洗浄工程の前に用いるための前処理組成物であっても、すすぎ時添加用組成物、並びに、漂白添加剤及び「シミ取りスティック」又は前処理タイプのような洗浄助剤であってもよい。
【００２０】
本明細書で使用するとき、用語「洗濯ケア組成物」は、特に指定しない限り、顆粒状、粉末状、液状、ゲル状、ペースト状、単位用量型、棒状、及び／又はフレーク状の洗浄剤及び／又は布地処理組成物を含み、例えば、布地を洗濯するための製品、布地柔軟化組成物、布地強化組成物、布地フレッシュニング組成物、並びに布地をケア及びメンテナンスするためのその他の製品、並びにこれらの組み合わせが挙げられるが、これらに限定されない。このような組成物は、洗浄工程の前に用いるための前処理組成物であっても、すすぎ添加用組成物、並びに漂白添加剤及び／又は「シミ取りスティック」、又は前処理組成物、又は乾燥機添加用シートなどの基材を有する製品などの洗浄助剤であってもよい。
【００２１】
本明細書で使用するとき、用語「ロイコ」（例えば、化合物、部分、ラジカル、染料、モノマー、断片、又はポリマーに関して使用するとき）は、特定の化学的又は物理的なトリガに曝露された際、１つ以上の化学的及び／又は物理的な変化を受け、その結果、第１の色状態（例えば、無着色又は実質的に無色）から第２の有色の状態（より高度に有色）までシフトする実体（例えば、有機化合物又はその一部）を指す。好適な化学的又は物理的なトリガとしては、酸化、ｐＨ変化、温度変化、及び電磁放射線（例えば、光）曝露における変化が挙げられるが、これらに限定されない。ロイコ実体において生じる好適な化学的又は物理的な変化としては、分子内環化などの酸化及び非酸化的変化が挙げられるが、これらに限定されない。したがって、一態様では、好適なロイコ実体は、発色団の可逆的に還元された形態であり得る。一態様では、ロイコ部分は、好ましくは、上記の化学的及び／又は物理的なトリガの１つ以上に曝露された際、第１及び第２のπ系を組み込んだ第３の複合共役π系に変換され得る、少なくとも第１及び第２のπ系を含む。
【００２２】
本明細書で使用するとき、用語「ロイコ組成物」又は「ロイコ着色剤組成物」は、本明細書で更に詳細に記載されるように、独立して選択される構造を有する少なくとも２種のロイコ着色剤化合物を含む組成物を指す。
【００２３】
本明細書で使用するとき、ロイコ着色剤の「平均分子量」は、その分子量分布によって決定したときの重量平均分子量として報告され、その製造プロセスの結果として、本明細書に開示されるロイコ着色剤は、そのポリマー部分に繰り返し単位の分布を含み得る。
【００２４】
本明細書で使用するとき、用語「最大吸光係数」及び「最大モル吸光係数」は、４００ナノメートル〜７５０ナノメートルの範囲における最大吸光波長（本明細書では最大波長とも称する）におけるモル吸光係数を表すことを意図する。
【００２５】
本明細書で使用するとき、用語「変換剤」は、その既知の形態（一重項及び三重項の状態）のいずれかにおける分子酸素以外の、当該技術分野において既知の任意の酸化剤を指す。
【００２６】
本明細書で使用するとき、用語「トリガ剤」は、ロイコ組成物を無色又は実質的に無色の状態から有色の状態に変換するのに好適な反応物質を指す。
【００２７】
本明細書で使用するとき、用語「白化剤」は、白色の綿布における場合、２１０〜３４５の相対色相角、又は更には２４０〜３２０の相対色相角、又は更には２５０〜３００（例えば、２５０〜２９０）の相対色相角を有する色相を当該布に提供する、トリガされたら染料を形成することができる染料又はロイコ着色剤を指す。
【００２８】
本明細書で使用するとき、「セルロース基材」は、重量基準でセルロースの少なくとも大部分を占めるあらゆる基材を含むことが意図される。セルロースは、木材、綿、亜麻布、黄麻及び麻布に見出すことができる。セルロース基材は、粉末、繊維、パルプの形態、並びに粉末、繊維及びパルプから形成される物品の形態であってよい。セルロース繊維としては、綿、レーヨン（再生セルロース）、アセテート（酢酸セルロース）、トリアセテート（三酢酸セルロース）及びこれらの混合物が挙げられるが、これらに限定されない。セルロース繊維から形成される物品としては、布地などの織物製品が挙げられる。パルプから形成される物品としては、紙が挙げられる。
【００２９】
本明細書で使用するとき、特許請求の範囲において使用される「ａ」及び「ａｎ」などの冠詞は、特許請求又は記述されるものが１つ以上であることを意味すると理解される。
【００３０】
本明細書で使用するとき、用語「含む（「include/s」及び「including」）」は非限定的であることを意味する。
【００３１】
本明細書において使用するとき、用語「固体」は、顆粒、粉末、バー及び錠剤の製品形態を含む。
【００３２】
本発明で使用する場合、用語「流体」は、液体、ゲル、ペースト及び気体の製品形態を含む。
【００３３】
別途記載のない限り、全ての成分又は組成物の濃度は、当該成分又は組成物の活性部分に関するものであり、かかる成分又は組成物の市販の供給源に存在し得る不純物、例えば残留溶媒又は副生成物は除外される。
【００３４】
全ての百分率及び比率は、別途記載のない限り、重量基準で計算される。全ての百分率及び比率は、別途記載のない限り、全組成に基づいて計算される。
【００３５】
粒子
粒子を形成するための装置１を図１に示す。原材料は、バッチミキサー１０に供給されてよい。バッチミキサー１０は、供給された大量の原材料を、原材料の所望のレベルの混合又は反応を可能にする十分な滞留時間にわたって保持するのに十分な容量を有してよい。バッチミキサー１０を離れる材料は、前駆材料２０であってよい。所望により、前駆材料は、例えば、インライン混合、インライン静的混合などの、他の何らかの上流混合プロセスから供給管４０に供給されてよい。前駆材料２０は、溶融物であってよい。バッチミキサー１０は、動的ミキサーであってよい。動的ミキサーとは、ミキサーの内容物を混合するためにエネルギーが加えられるミキサーである。バッチミキサー１０は、バッチミキサー１０の内容物を混合する１つ以上のインペラを備えてよい。
【００３６】
所望により存在するバッチミキサー１０と、分配器３０との間では、前駆材料２０は、供給管４０を通って移動してよい。供給管４０は、バッチミキサー１０と流体連通してよい。ガス供給ライン１５５は、バッチミキサー１０の下流にある供給管４０と流体連通するように設けられてよい。ガス供給ライン１５５は、バッチミキサー１０と分配器３０との間で供給管４０と流体連通するように設けられてよい。ミル２００は、ガス供給ライン１５５の下流かつ供給管４０のライン中に設けられてよい。ミル２００は、ガス供給ライン１５５の下流かつ分配器３０の上流にある供給管４０のライン中に設けられてよい。
【００３７】
前駆材料２０は、供給管４０に供給されてよい。供給管４０は、前駆材料２０を運ぶ輸送手段である。供給管４０は、装置１の要素と、装置１の構成要素内で前駆材料を運ぶ輸送手段との間の輸送手段を含む。例えば、ミル２００は、ミル２００に進入する輸送手段の一部と、ミル２００から退出する輸送手段の一部と、を備えるユニット内に設けられてよい。これらの各部は、供給管４０の一部である。したがって、供給管４０は、バッチミキサー１０と分配器３０との間の輸送手段全体であるとみなすことができ、供給管４０の途中には、ガス供給ライン１５５、ミル２００、中間ミキサー５０、及び供給ポンプ１４０など様々な要素が存在する。供給管４０の上流にバッチミキサー１０が存在しない場合、供給管４０は、分配器３０の上流にある輸送手段全体とみなすことができ、供給管４０の途中には、ガス供給ライン１５５、ミル２００、中間ミキサー５０、及び供給ポンプ１４０など様々な要素が存在する。
【００３８】
中間ミキサー５５は、ミル２００の下流に、かつ供給管４０のライン中に設けられてよい。中間ミキサー５５は、ミル２００と分配器３０との間で供給管４０と流体連通してよい。静的ミキサー５０であってよい中間ミキサー５５は、バッチミキサー１０の下流にあってよい。換言すると、使用する場合、バッチミキサー１０は、中間ミキサー５５又は静的ミキサー５０の上流にあってよい。中間ミキサー５５は、供給管４０のライン中にあってよい。中間ミキサー５５は、ローターステーターミキサーであってよい。中間ミキサー５５は、コロイドミルであってよい。中間ミキサー５５は、駆動式インライン流体分散機であってよい。中間ミキサー５５は、ＩＫＡ（Ｗｉｌｍｉｎｇｔｏｎ，Ｎｏｒｔｈ  Ｃａｒｏｌｉｎａ，Ｕｎｉｔｅｄ  Ｓｔａｔｅｓ  ｏｆ  Ａｍｅｒｉｃａ）から入手可能なＵｌｔｒａ  Ｔｕｒｒａｘ分散機、Ｄｉｓｐａｘ−ｒｅａｃｔｏｒ分散機、Ｃｏｌｌｏｉｄ  Ｍｉｌ  ＭＫ、又はＣｏｎｅ  Ｍｉｌｌ  ＭＫＯであってよい。中間ミキサー５５は、有孔ディスクミル、歯付きコロイドミル、又はＦｒｙｍａＫｏｒｕｍａ（Ｒｈｅｉｎｆｅｌｄｅｎ，Ｓｗｉｔｚｅｒｌａｎｄ）から入手可能なＤＩＬインラインホモジナイザーであってよい。静的ミキサー５０は、螺旋状静的ミキサーであってよい。静的ミキサー５０は、Ｃｈｅｍｉｎｅｅｒ（Ｄａｙｔｏｎ，ＯＨ，ＵＳＡ）から入手可能なＫｅｎｉｃｓ  ＫＭＳ  ６（内径１．９０５ｃｍ）であってよい。
【００３９】
理論に束縛されるものではないが、静的ミキサー５０など中間ミキサー５５は、分配器３０又はステーター１００内でより均一の温度の前駆材料２０をもたらし得ると考えられる。中間ミキサー５５又は使用する場合静的ミキサー５０の下流端において、供給管４０の断面全体での供給管４０内の前駆材料２０の温度は、約１０℃未満、又は約５℃未満、又は約１℃未満、又は約０．５℃未満変動し得る。
【００４０】
静的ミキサー５０が存在しない場合、供給管４０の断面全体の温度は非均一であってよい。供給管４０の中心線における前駆材料２０の温度は、供給管４０の周壁における前駆供給材料２０の温度よりも高くてよい。前駆材料２０が分配器３０又はステーター１００に放出されるとき、前駆材料２０の温度は、分配器又はステーター１００内の異なる位置において異なってよい。理論に束縛されるものではないが、本明細に記載のように静的ミキサー４０を用いることによって、供給管４０の断面全体に均一な温度をもたらすことは、静的ミキサー４０を有さない装置１と比較して、より均一の粒子９０を製造できると考えられる。
【００４１】
分配器３０は、複数の孔６０を備えて設けられてよい。前駆材料２０は、孔６０を通過することができる。前駆材料２０は、孔６０を通過した後、分配器３０の下に設けられている移動コンベア８０上に堆積され得る。前駆材料２０は、コンベア８０の移動時に移動コンベア８０上に堆積され得る。コンベア８０は、分配器３０に対して平行移動可能なものであり得る。コンベア８０は、連続移動コンベア８０であってよい。コンベア８０は、間欠移動コンベア８０であってよい。連続移動コンベア８０は、より高い加工速度をもたらし得る。間欠移動コンベア８０は、製造される粒子９０の形状をより良好に制御可能である。
【００４２】
前駆材料２０は、移動コンベア８０上で冷却されて、複数の固形粒子９０を形成し得る。冷却は、周囲冷却によってもたらされ得る。所望により、冷却は、コンベア８０の下側に常温水又は冷水を吹き付けることによってもたらされてよい。
【００４３】
粒子９０が十分に凝集性になったならば、粒子９０は、更なる加工及び又はパッケージングのために、コンベア８０からコンベア８０下流にある加工装置に移されてよい。
【００４４】
分配器３０は、ステーター１００の周りを回転可能に取り付けられたシリンダー１１０であってよく（このステーターは供給管４０と流体連通している）、シリンダー１１０は外面部１２０を有してよく、外面部１２０には、図２に示すように複数の孔６０が存在してよい。したがって、装置１は、供給管４０と流体連通しているステーター１００を備えてよい。前駆材料２０がミル２００を通過した後に、供給管４０が前駆材料２０をステーター１００に供給できる。
【００４５】
装置１は、ステーター１００の周りを回転可能に取り付けられたシリンダー１１０を備えてよい。ステーター１００には、シリンダー１１０の一端又は両端１３０を介して前駆材料が供給される。シリンダー１１０は、シリンダー１１０を通る長手方向軸Ｌを有し、シリンダー１１０がその周りを回転してよい。シリンダー１１０は外面部１２０を有する。シリンダー１１０の外面部１２０には複数の孔６０が存在してよい。
【００４６】
シリンダー１１０はその長手方向軸Ｌの周りを回転駆動することから、孔６０は、シリンダー１１０がステーター１００の周りを回転するときに、ステーター１００と間欠的に流体連通し得る。シリンダー１１０は、ステーター１００にまたがる外面部１２０の移動方向に機械方向ＭＤを、そして、機械方向ＭＤに直交する外面部１２０上に機械横断方向を有すると考えることができる。ステーター１００は同様に、縦軸Ｌに平行に、機械横断方向ＣＤを有すると考えることができる。ステーター１００の機械横断方向は、シリンダー１１０の機械横断方向と位置合わせすることができる。ステーター１００は、ステーター１００の機械横断方向ＣＤに配置された、複数の分配ポート１２０を有してよい。分配ポート１２０は、前駆材料２０を供給されるステーター１００の部分又は領域である。
【００４７】
一般に、前駆材料２０は、ミル２００及び供給管４０を通してガス供給ライン１５５を通過させ、ステーター１００に供給可能である。ステーター１００は、シリンダー１１０の作動幅全体に前駆供給材料２０を分配する。シリンダー１１０はその長手方向軸の周りを回転するため、前駆材料２０は、孔６０がステーター１００を通り過ぎるときに孔６０を通して供給される。前駆材料２０の個々の塊は、各孔６０がステーター１００に遭遇するときに、各孔６０を通して供給される。各孔６０がステーター１００を通り過ぎるときに各孔６０を通して供給される前駆材料２０の塊は、ステーター１００内での前駆材料の圧力及びシリンダー１１０の回転速度の一方又は両方を制御することにより制御され得る。
【００４８】
少量の前駆材料２０は、コンベア８０上へシリンダー１１０の作動幅全体に堆積される。コンベア８０は、シリンダー１１０の長手方向軸に対して平行移動可能なものであり得る。コンベア８０の速度を、シリンダー１１０の接線速度に対して設定して、コンベア８０上に堆積された時点で前駆材料２０が有する形状を制御できる。コンベア８０の速度は、シリンダー１１０の接線速度とほぼ同じであってよい。
【００４９】
図１に示すように、供給管４０を通る前駆材料２０の流量は、バッチミキサー１０及び分配器３０からの重力によりもたらされる流量によってもたらされてよい。製造の制御性を向上させるために、装置１には、図２に示すように供給ポンプ１４０を備えてよい。供給ポンプ１４０は、供給管４０のライン中に存在してよい（「ライン中に」とは、前駆材料２０の流れるラインの中を意味する）。供給ポンプ１４０は、バッチミキサー１０と分配器３０との間にあってよい。供給ポンプ１４０は、分配器３０の上流にあってよい。ステーター１００を用いる場合、供給ポンプ１４０は、供給管４０のライン中に存在してよい（「ライン中に」とは、前駆材料２０の流れるラインの中を意味する）。ステーター１００を用いる場合、供給ポンプ１４０は、バッチミキサー１０とステーター１００との間にあってよい。供給ポンプ１４０は、ステーター１００の上流にあってよい。供給ポンプ１４０の位置を説明するとき、「〜の間」は、供給ポンプ１４０が、ラインにおけるバッチミキサー１０の下流、かつ分配器３０の上流又はステーター１００を用いる場合はその上流にあることを説明するために使用する。
【００５０】
ガス供給ライン１５５及びミル２００は、供給ポンプ１４０と、分配器３０又はステーター１００（装置１で用いる場合）との間のライン中に位置してよい。
【００５１】
ガス供給ライン１５５は、流量調整器１５８を備えてよい。流量調整器１５８は、供給ライン４０へのガスの流量を調整できる。前駆材料２０の単位体積当たりの付加ガス量は、流量調整器１５８を所望の流量に設定することによって制御できる。供給ライン４０内でより多くのガスを前駆材料２０に供給すると、より多くのガスが粒子９０に含まれるであろう。ガス供給ライン１５５は、ガスを前駆材料２０に混入させるために設けられてよい。
【００５２】
流量調整器１５８は、Ｋｅｙ  Ｉｎｓｔｒｕｍｅｎｔｓ  Ｆｌｏ−Ｒｉｔｅ  Ｓｅｒｉｅｓ  ＧＳ  ６５ｍｍ（部品番号６０４１０−Ｒ５）であってよい。供給ライン４０は、１  １／２インチのステンレス製衛生管であってよい。ガス供給ライン１５５は、内径１／４インチのポリエチレン管であってよい。ガスは、約８５ｐｓｉの圧力でガス供給ライン１５５にて供給されてよい。
【００５３】
前駆材料２０の流量は、約３Ｌ／分であってよい。前駆材料２０は、前駆材料２０又は粒子９０について本明細書に記載した任意の組成物を含む溶融物であってよい。
【００５４】
ガス供給ライン１５５で供給されるガスは、空気であってよい。空気は、容易に入手可能である、低コストである、粒子９０の構成成分との化学的相互作用が十分に解明されているという点で実用的であり得る。
【００５５】
ガス供給ライン１５５で供給されるガスは、不活性ガスであってよい。不活性ガスは、不活性ガスが混入した粒子９０が、空気が混入した粒子９０と比較して分解を受けにくいという点で実用的であり得る。
【００５６】
ガス供給ライン１５５で供給されるガスは、空気、酸素、窒素、二酸化炭素、アルゴン、及びこれらの混合物からなる群から選択されてよい。かかるガスは広く入手可能であり、商用で一般的に使用されている。理論に束縛されるものではないが、かかるガスは、生成物の安定性を改善することがある。
【００５７】
ガスは、ガスが周囲温度に達したときに、所望のガス量が粒子９０内に存在するような温度で供給されてよい。理想気体の法則を使用して、所望の送達温度を決定してよい。ガスはまた、水を含んでよい。水は、ガス状又は液体形態であってよい。ガス中の水量は、所望のレベルになるように選択されてよい。
【００５８】
所望により、ガスは、前駆材料２０にガス発生材料を混合することにより前駆材料に混入されてよい。
【００５９】
ミル２００は、ローターステーター型ミルであってよい。ミルは、約４００ＲＰＭで作動する、１段の中型ローターステーターを備えるＱｕａｄｒｏ  Ｚ１インラインミキサーであってよい。
【００６０】
ミル２００及びガス供給ライン１５５は、単一ユニットに組み込まれてよい。
【００６１】
Ｏａｋｅｓ  Ｆｏａｍｅｒ（Ｅ．Ｔ．Ｏａｋｅｓ  Ｃｏｒｐｏｒａｔｉｏｎ，６８６  Ｏｌｄ  Ｗｉｌｌｅｔｓ  Ｐａｔｈ  Ｈａｕｐｐａｕｇｅ，ＮＹ１１７８８、２ＭＴ１Ａ連続フォーマー）を使用してガス供給ライン１５５、流量調整器１５８、及びミル２００を単一ユニットで提供してよい。
【００６２】
機械方向ＭＤの装置１の図を図３に示す。図３に示すように、装置１は作動幅Ｗを有してよく、シリンダー１１０は長手方向軸Ｌの周りを回転してよい。
【００６３】
粒子９０を形成するための装置１は、供給管と、バッチミキサー１０の下流にある供給管４０と流体連通するように取り付けられたガス供給ライン１５５と、ガス供給ライン１５５の下流にあり、かつ供給管４０のライン中にあるミル２００と、ミル２００の下流にあり、かつ当該供給管４０のライン中にある分配器３０と、を備えてよく、当該分配器３０は複数の孔６０を備える。装置１は、分配器３０の下にあり、かつ分配器３０に対して平行移動可能なコンベアを備えてよい。分配器３０は、供給管４０と流体連通しているステーター１００を備えてよい。分配器３０は、ステーター１００の周りを回転可能に取り付けられ、かつシリンダー１１０の長手方向軸Ｌの周りを回転可能であるシリンダー１１０を備えてよい。シリンダー１１０は外面部１２０を有してよく、シリンダー１１０は、外面部１２０の周りに配置された複数の孔６０を有してよい。孔６０は、シリンダー１１０がステーター１００の周りを回転するときに、ステーター１００と間欠的に流体連通し得る。装置は、シリンダー１１０の下にコンベア８０を含むことができ、コンベア８０は縦軸Ｌに対して平行移動可能なものであり得る。粒子９０を形成するための装置１は、バッチミキサー１０を含むことができる。供給管４０は、バッチミキサー１０と流体連通してよい。
【００６４】
粒子９０を形成するための方法は、供給管４０に前駆材料２０を供給する工程と、供給管４０に前駆材料２０を供給する工程と、前駆材料２０にガスを混入させて、供給管４０と流体連通しているステーター１００を設ける工程と、ステーター１００に前駆材料２０を分配する工程と、ステーター１００の周りを回転し、かつシリンダー１１０の長手方向軸Ｌの周りを回転可能であるシリンダー１１０を設ける工程であって、シリンダー１１０は、外面部１２０と、外面部１２０の周りに配置された複数の孔６０と、を有する、工程と、孔６０を通して前駆材料１２０を通過させる工程と、シリンダー１１０の下に移動コンベア８０を設ける工程と、移動コンベア８０上に前駆材料２０を堆積させる工程と、前駆材料２０を冷却して、複数の粒子９０を形成する工程と、を含んでよい。この方法は、本明細書に開示する装置のいずれかを使用して実行してよい。この方法は、本明細書に開示する前駆材料２０のいずれかを用いて、本明細書に開示する粒子９０のいずれかを形成可能である。この方法は、供給管と流体連通しているバッチミキサー１０に前駆材料２０を供給する工程を含んでよい。
【００６５】
粒子９０を形成するための方法は、供給管４０に前駆材料２０を供給する工程と、供給管４０に前駆材料２０を供給する工程と、前駆材料２０にガスを混入させる工程と、複数の孔６０を有する分配器３０を設ける工程と、供給管４０から分配器３０へと前駆材料２０を移動させる工程と、孔６０を通して前駆材料２０を通過させる工程と、分配器３０の下に移動コンベア８０を設ける工程と、移動コンベア８０上に前駆材料２０を堆積させる工程と、前駆材料２０を冷却して、複数の粒子９０を形成する工程と、を含んでよい。前駆材料２０は、約２０００〜約１３０００の重量平均分子量を有するポリエチレングリコールを約４０重量％超、及び、本明細書で開示したロイコ着色剤を約０．０００１重量％〜約５０重量％、又は好ましくは、０．００１重量％〜約２５重量％含むことができる。この方法は、本明細書に開示する装置のいずれかを使用して実行してよい。この方法は、本明細書に開示する追加の前駆材料２０のいずれかを用いて、本明細書に開示する粒子９０のいずれかを形成してよい。この方法は、供給管と流体連通しているバッチミキサー１０に前駆材料２０を供給する工程を含んでよい。
【００６６】
前駆材料２０は、装置１及び本明細書に記載の方法を使用して粒子９０に形成できる溶融物として加工され得る任意の組成物であってよい。前駆材料２０の組成は、粒子９０によってもたらされる利点により決定される。前駆材料２０は、原料組成物、工業組成物、消費者組成物、粒子状で有利に提供され得る任意の他の組成物であってよい。
【００６７】
当該技術分野において既知のとおり、前駆材料２０及び粒子９０を布地洗剤組成物に組み込んでよい。布地洗剤に組み込まれたとき、布地洗剤は、当該技術分野において既知のとおり、界面活性剤、ビルダー、キレート剤、移染抑制剤、分散剤、酵素、及び酵素安定剤、可塑化溶媒、触媒材料、漂白活性化剤、ポリマー分散剤、粘土汚れ除去／再付着防止剤、光沢剤、泡抑制剤、染料、追加の香料及び香料送達系、構造弾性化剤、布地柔軟剤、担体、ヒドロトロープ、加工助剤並びに／又は顔料、並びにこれらの混合物を含む、約０．００１％〜約９０％未満の典型的な布地ケア添加剤もまた含んでよい。前駆材料２０及び粒子９０が布地洗剤組成物に組み込まれていない場合、任意の典型的な布地ケア添加剤を、当該技術分野において既知のとおり、付与される所望の効果に従い、前駆材料２０及び粒子９０の中にロイコ着色剤と共に組み込んでもよい。例えば、組成物に含まれてもよいロイコ着色剤又は任意の従来の審美剤若しくはシェーディング染料を分解から保護するために、酸化防止剤、ＵＶ吸収化合物などが共組み込みされてもよい。更に、美的目的のために、他の染料を、ロイコ着色剤を含む粒子と、ロイコ着色剤を含まない粒子との両方に組み込んでよい。非相溶性であり得る香料を、ロイコ着色剤を含まない粒子、又は非常に少量のロイコ着色剤のみを含む粒子の中にこれらの香料を入れることにより、洗濯ケア組成物に組み込んでよい。当業者によって理解されるように、これらは、当業者が目的とする効果を最大化するために洗濯ケア組成物を構築することができる方法の単なる例であり、限定を意味するものではない。
【００６８】
前駆材料２０及び粒子９０は、担体、並びにロイコ着色剤、シェーディング染料、美的染料、香料、及びガス吸蔵体の任意の組み合わせを含んでよい。ガス吸蔵体は、球状のガス吸蔵体であってよい。
【００６９】
担体
担体は、水溶性無機アルカリ金属塩、水溶性アルカリ土類金属塩、水溶性有機アルカリ金属塩、水溶性有機アルカリ土類金属塩、水溶性炭水化物、水溶性ケイ酸塩、水溶性尿素、及びこれらの任意の組み合わせからなる群から選択される物質であってよい、又はこれらを含んでよい。アルカリ金属塩は、例えば、リチウムの塩、ナトリウムの塩、及びカリウムの塩、並びにこれらの任意の組み合わせからなる群から選択されてよい。有用なアルカリ金属塩は、例えば、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。
【００７０】
アルカリ金属塩は、フッ化ナトリウム、塩化ナトリウム、臭化ナトリウム、ヨウ化ナトリウム、硫酸ナトリウム、重硫酸ナトリウム、リン酸ナトリウム、リン酸一水素ナトリウム、リン酸二水素ナトリウム、炭酸ナトリウム、炭酸水素ナトリウム、酢酸ナトリウム、クエン酸ナトリウム、乳酸ナトリウム、酒石酸ナトリウム、ケイ酸ナトリウム、アスコルビン酸ナトリウム、フッ化カリウム、塩化カリウム、臭化カリウム、ヨウ化カリウム、硫酸カリウム、重硫酸カリウム、リン酸カリウム、リン酸一水素カリウム、リン酸二水素カリウム、炭酸カリウム、炭酸一水素カリウム、酢酸カリウム、クエン酸カリウム、乳酸カリウム、酒石酸カリウム、ケイ酸カリウム、カリウム、アスコルビン酸塩、及びこれらの組み合わせからなる群から選択されてよい。アルカリ土類金属塩は、マグネシウムの塩、カルシウムの塩など、及びこれらの組み合わせからなる群から選択されてよい。アルカリ土類金属塩は、アルカリ金属フッ化物、アルカリ金属塩化物、アルカリ金属臭化物、アルカリ金属ヨウ化物、アルカリ金属硫酸塩、アルカリ金属重硫酸塩、アルカリ金属リン酸塩、アルカリ金属一水素リン酸塩、アルカリ金属二水素リン酸塩、アルカリ金属炭素塩、アルカリ金属一水素炭素塩、アルカリ金属酢酸塩、アルカリ金属クエン酸塩、アルカリ金属乳酸塩、アルカリ金属ピルビン酸塩、アルカリ金属ケイ酸塩、アルカリ金属アスコルビン酸塩、及びこれらの組み合わせからなる群から選択されてよい。アルカリ土類金属塩は、フッ化マグネシウム、塩化マグネシウム、臭化マグネシウム、ヨウ化マグネシウム、硫酸マグネシウム、リン酸マグネシウム、リン酸一水素マグネシウム、リン酸二水素マグネシウム、炭酸マグネシウム、炭酸一水素マグネシウム、酢酸マグネシウム、クエン酸マグネシウム、乳酸マグネシウム、酒石酸マグネシウム、ケイ酸マグネシウム、アスコルビン酸マグネシウム、フッ化カルシウム、塩化カルシウム、臭化カルシウム、ヨウ化カルシウム、硫酸カルシウム、リン酸カルシウム、リン酸一水素カルシウム、リン酸二水素カルシウム、炭酸カルシウム、炭酸一水素カルシウム、酢酸カルシウム、クエン酸カルシウム、乳酸カルシウム、酒石酸カルシウム、ケイ酸カルシウム、アスコルビン酸カルシウム、及びこれらの組み合わせからなる群から選択されてよい。無機アルカリ金属塩及び無機アルカリ土類金属塩などの無機塩は、炭素を含まない。有機アルカリ金属塩及び有機アルカリ土類金属塩などの有機塩は、炭素を含む。有機塩は、アルカリ金属塩又はソルビン酸のアルカリ土類金属塩（即ち、ソルビン酸塩（asorbate））であってよい。ソルビン酸塩は、ソルビン酸ナトリウム、ソルビン酸カリウム、ソルビン酸マグネシウム、ソルビン酸カルシウム、及びこれらの組み合わせからなる群から選択されてよい。
【００７１】
担体は、水溶性無機アルカリ金属塩、水溶性有機アルカリ金属塩、水溶性無機アルカリ土類金属塩、水溶性有機アルカリ土類金属塩、水溶性炭水化物、水溶性ケイ酸塩、水溶性尿素、及びこれらの組み合わせからなる群から選択される物質であってよい、又はそれを含んでよい。担体、つまり水溶性担体（water soluble-soluble carrier）は、塩化ナトリウム、塩化カリウム、塩化カルシウム、塩化マグネシウム、硫酸ナトリウム、硫酸カリウム、硫酸マグネシウム、炭酸ナトリウム、炭酸カリウム、炭酸水素ナトリウム、炭酸水素カリウム、酢酸ナトリウム、酢酸カリウム、クエン酸ナトリウム、クエン酸カリウム、酒石酸ナトリウム、酒石酸カリウム、酒石酸カリウムナトリウム、乳酸カルシウム、水ガラス、ケイ酸ナトリウム、ケイ酸カリウム、デキストロース、フルクトース、ガラクトース、イソグルコース、グルコース、スクロース、ラフィノース、イソマルト、キシリトール、氷砂糖、ざらめ糖、及びこれらの組み合わせからなる群から選択されてよい。一実施形態では、担体、つまり水溶性担体は、塩化ナトリウムであってよい。一実施形態では、担体、つまり水溶性担体は、食卓塩であってよい。
【００７２】
担体は、重炭酸ナトリウム、硫酸ナトリウム、炭酸ナトリウム、ギ酸ナトリウム、ギ酸カルシウム、塩化ナトリウム、スクロース、マルトデキストリン、コーンシロップ固体、コーンスターチ、小麦デンプン、米デンプン、ジャガイモデンプン、タピオカデンプン、粘土、ケイ酸塩、クエン酸カルボキシメチルセルロース、脂肪酸、脂肪族アルコール、水素化獣脂のグリセリルジエステル、グリセロール、及びこれらの組み合わせからなる群から選択される物質であってよい、又はそれを含んでよい。
【００７３】
担体は、水溶性有機アルカリ金属塩、水溶性無機アルカリ土類金属塩、水溶性有機アルカリ土類金属塩、水溶性炭水化物、水溶性ケイ酸塩、水溶性尿素、デンプン、粘度、不水溶性ケイ酸塩、クエン酸カルボキシメチルセルロース、脂肪酸、脂肪族アルコール、水素添加タローのグリセリルジエステル、グリセロール、ポリエチレングリコール、ポリビニルアルコール、及びこれらの組み合わせからなる群から選択され得る。
【００７４】
粒子９０は、粒子９０の約２０重量％〜約９９．９重量％の担体を含んでよい。担体は、ポリエチレングリコールであってよい。
【００７５】
前駆材料２０、したがって粒子９０は、約２０００〜約１３０００の重量平均分子量を有するポリエチレングリコールを、約２０重量％を超えて含んでよい。ポリエチレングリコール（ＰＥＧ）は比較的低コストであり、数多くの異なる形状及びサイズに形成することができ、いくつかのロイコ着色剤、又はカプセル化されていない香料等の小分子の拡散を最小限にし、かつ水に十分に溶解する。ＰＥＧは、様々な重量平均分子量で入手可能である。ＰＥＧの好適な重量平均分子量の範囲としては、約２，０００〜約１３，０００、約４，０００〜約１２，０００、あるいは約５，０００〜約１１，０００、あるいは約６，０００〜約１０，０００、あるいは約７，０００〜約９，０００、あるいはこれらの組み合わせが挙げられる。ＰＥＧは、例えば、ＰＬＵＲＩＯＬ  Ｅ  ８０００として、ＢＡＳＦから入手可能である。
【００７６】
前駆材料２０、したがって粒子９０は、粒子の約２０重量％超のＰＥＧを含んでよい。前駆材料２０、したがって粒子９０は、粒子の約４０重量％超のＰＥＧを含んでよい。前駆材料２０、したがって粒子９０は、粒子の約６０重量％超のＰＥＧを含んでよい。前駆材料２０、したがって粒子９０は、組成物の約６５重量％〜約９９．９重量％のＰＥＧを含んでよい。前駆材料２０、したがって粒子９０は、組成物の約２０重量％〜約９９．９重量％のＰＥＧを含んでよい。
【００７７】
あるいは、前駆材料２０、したがって粒子９０は、前駆材料２０、したがって粒子９０の重量％に対して、約２０％〜約９９．９％未満、あるいは約４５％〜約９０％、あるいは約６０％〜約８０％、あるいは上述の範囲のいずれかの中の組み合わせ、及び任意の割合全体又は割合全体の範囲のＰＥＧを含んでよい。
【００７８】
用途に応じて、前駆材料２０、したがって粒子９０は、粒子の約０．５重量％〜約５重量％の、グリセリン、ポリプロピレングリコール、ミリスチン酸イソプロピル、ジプロピレングリコール、１，２−プロパンジオール、及び２０００未満の重量平均分子量を有するＰＥＧ、並びにこれらの混合物からなる群から選択されるバランス剤を含んでよい。
【００７９】
前駆材料２０、したがって粒子９０は、酸化防止剤を含んでよい。酸化防止剤は、製造してから使用するまでの期間に粒子の色又は臭いの安定性を促進することに役立ち得る。前駆材料２０、したがって粒子９０は、約０．０１重量％〜約１重量％の酸化防止剤を含んでよい。前駆材料２０、したがって粒子９０は、約０．００１重量％〜約２重量％の酸化防止剤を含んでよい。前駆材料２０、したがって粒子９０は、約０．０１重量％〜約０．１重量％の酸化防止剤を含んでよい。酸化防止剤は、ブチル化ヒドロキシトルエンであってよい。
【００８０】
酸化防止剤
洗濯ケア組成物は、所望により、存約０．００１〜約２重量％存在する酸化防止剤を含有してよい。好ましくは、酸化防止剤は、０．０１〜０．１重量％の範囲の濃度で存在する。酸化防止剤の混合物を使用することができ、いくつかの実施形態では、好ましい場合がある。
【００８１】
酸化防止剤は、Ｋｉｒｋ−Ｏｔｈｍｅｒ（第３巻、４２４ページ）及びＵｌｌｍａｎｎのＥｎｃｙｃｌｏｐｅｄｉａ（第３巻、９１ページ）に記載されているような物質である。
【００８２】
本発明で使用される酸化防止剤の一分類は、以下の一般式を有するアルキル化フェノールである：
【００８３】
【化１】
2021516729.tif 000003
（式中、Ｒは、Ｃ１〜Ｃ２２直鎖又は分岐鎖アルキル、好ましくはメチル又は分岐鎖Ｃ３〜Ｃ６アルキル、Ｃ１〜Ｃ６アルコキシ、好ましくはメトキシ、又はＣＨ２ＣＨ２Ｃ（Ｏ）Ｒ’であり、Ｒ’は、Ｈ、電荷均衡対イオン又はＣ１〜Ｃ２２直鎖又は分枝鎖アルキルであり、Ｒ１は、Ｃ３〜Ｃ６分枝鎖アルキル、好ましくはｔｅｒｔ−ブチルであり、ｘは、１又は２である）。ヒンダードフェノール化合物は、この式を有するアルキル化フェノールの好ましい種類である。この種の好ましいヒンダードフェノール化合物は、３，５−ジ−ｔｅｒｔ−ブチル−４−ヒドロキシトルエン（ＢＨＴ）である。
【００８４】
更に、組成物に使用される酸化防止剤は、α−、β−、γ−、δ−−トコフェロール、エトキシキン、２，２，４−トリメチル−１，２−ジヒドロキノリン、２，６−ジ−ｔｅｒｔ−ブチルヒドロキノン、ｔｅｒｔ−ブチルヒドロキシアニソール、リグノスルホン酸及びこれらの塩、並びにこれらの混合物からなる群から選択され得る。エトキシキン（１，２−ジヒドロ−６−エトキシ−２，２，４−トリメチルキノリン）は、Ｒａｓｃｈｉｇ（商標）によりＲａｌｕｑｕｉｎ（商標）という名称で販売されていることに留意されたい。
【００８５】
組成物に使用され得る他の種類の酸化防止剤は、６−ヒドロキシ−２，５，７，８−テトラメチルクロマン−２−カルボン酸（Ｔｒｏｌｏｘ（商標））及び１，２−ベンズイソチアゾリン−３−オン（Ｐｒｏｘｅｌ  ＧＸＬ（商標））である。
【００８６】
組成物に使用するのに好適であり得る酸化防止剤の更なる分類は、以下の式を有するベンゾフラン又はベンゾピラン誘導体である：
【００８７】
【化２】
2021516729.tif 000004
（式中、Ｒ１及びＲ２は、それぞれ独立して、アルキルであるか、又はＲ１及びＲ２は一緒になってＣ５〜Ｃ６環状ヒドロカルビル部分を形成してもよく、Ｂは、存在しないか又はＣＨ２であり、Ｒ４は、Ｃ１〜Ｃ６アルキルであり、Ｒ５は、水素又は−Ｃ（Ｏ）Ｒ３であり、Ｒ３は、水素又はＣ１〜Ｃ１９アルキルであり、Ｒ６は、Ｃ１〜Ｃ６アルキルであり、Ｒ７は、水素又はＣ１〜Ｃ６アルキルであり、Ｘは、−ＣＨ２ＯＨ又は−ＣＨ２Ａであり、Ａは、窒素含有単位、フェニル、又は置換フェニルである）。好ましい窒素含有Ａ単位としては、アミノ、ピロリジノ、ピペリジノ、モルホリノ、ピペラジノ、及びこれらの混合物が挙げられる。
【００８８】
トコフェロールソルベート、ブチル化ヒドロキシル安息香酸（benxoic acids）及びその塩、没食子酸及びそのアルキルエステル、尿酸及びその塩、ソルビン酸及びその塩、並びにジヒドロキシフマル酸及びその塩などの酸化防止剤を使用してもよい。一態様では、組成物に使用するための最も好ましい種類の酸化防止剤は、３，５−ジ−ｔｅｒｔ−ブチル−４−ヒドロキシトルエン（ＢＨＴ）、α−、β−、γ−、δ−トコフェロール、１，２−ベンズイソチアゾリン−３−オン（Ｐｒｏｘｅｌ  ＧＸＬ（商標））及びこれらの混合物である。別の態様では、組成物に使用するための最も好ましい種類の酸化防止剤は、ヒンダードフェノール、ジアリールアミン（波長範囲４００〜７５０ｎｍに１，０００Ｍ−１ｃｍ−１未満の最大モル吸光係数を有するフェノキサジンを含む）、及びこれらの混合物である。好ましい混合物では、初めに配合されたヒンダードフェノールの当量数は、通常、ジアリールアミンの当量数以上である。
【００８９】
ロイコ着色剤
前駆材料２０及び粒子９０はロイコ着色剤を含んでよい。好ましくは、ロイコ着色剤は、粒子９０の少なくとも約０．０００１％、０．０１％、０．１％、１％、１０％、３０％、５０％、７０％、９０％、又は更に約９５％を占める。
【００９０】
ロイコ着色剤（ロイコ染料と呼ばれる場合がある）は、その第２の着色状態に変換されると、典型的には、青色又は紫色の色合いを布地にもたらす。ロイコ着色剤は、単独で、又は従来のシェーディング染料若しくは他のロイコ着色剤と組み合わせてのいずれかで使用され、色相の特定の色合いを作り出すことができ、及び／又は異なる布地の種類に色合いを付けることができる。これは、例えば赤と緑−青の染料とを混合して青又は紫の色合いを生じさせることによりもたらされ得る。好ましくは、シェーディング染料又は第２の着色状態のロイコ着色剤は、青色又は紫色染料であり、白い衣類若しくは布地に青色又は紫色がもたらされる。かかる洗濯ケア組成物で処理された白い衣類は、２１０〜３４５、より好ましくは２４０〜３４５、より好ましくは２６０〜３２５、更により好ましくは２７０〜３１０の色相角を有する。
【００９１】
一態様では、２００〜１，０００ｎｍ（より好ましくは４００〜７５０ｎｍ）の範囲の波長における最大吸光度における当該第２の有色状態のモル吸光係数は、第２の有色状態の最大吸光度の波長における当該第１の色状態のモル吸光係数の好ましくは少なくとも５倍、より好ましくは１０倍、更により好ましくは２５倍、最も好ましくは少なくとも５０倍である。好ましくは、２００〜１，０００ｎｍ（より好ましくは４００〜７５０ｎｍ）の範囲の波長における最大吸光度における当該第２の有色状態のモル吸光係数は、対応する波長範囲における当該第１の色状態の最大モル吸光係数の少なくとも５倍、好ましくは１０倍、更により好ましくは２５倍、最も好ましくは少なくとも５０倍である。当業者であれば、これら比がはるかに高くなり得ることを理解するであろう。例えば、第１の色状態は、４００〜７５０ｎｍの波長範囲においてわずか１０Ｍ−１ｃｍ−１の最大モル吸光係数を有していてよく、第２の有色状態は、４００〜７５０ｎｍの波長範囲において８０，０００Ｍ−１ｃｍ−１以上もの最大モル吸光係数を有していてよく、この場合、吸光係数の比は８，０００：１以上になる。
【００９２】
一態様では、４００〜７５０ｎｍの範囲の波長における当該第１の色状態の最大モル吸光係数は１０００Ｍ−１ｃｍ−１未満であり、４００〜７５０ｎｍの範囲の波長における当該第２の有色状態の最大モル吸光係数は、５，０００Ｍ−１ｃｍ−１よりも大きく、好ましくは１０，０００、２５，０００、５０，０００又は更には１００，０００Ｍ−１ｃｍ−１よりも大きい。当業者であれば、１つを超えるロイコ部分を含むポリマーが、第１の色状態において有意に高い最大モル吸光係数を有し得る（例えば、多数のロイコ部分の相加効果又は第２の有色状態に変換された１つ以上のロイコ部分の存在に起因する）ことを認識し、理解するであろう。
【００９３】
消費者の家庭でみられる織物物品は非常に広範囲にわたり、多くの場合、多種多様な天然繊維及び合成繊維の両方、並びに同じ洗濯物又は更には同じ衣類中におけるこれらのいずれかの混合物から構成された衣類を含む。当該物品は、様々な方法で構築することができ、製造業者によって適用され得る膨大な仕上げ剤のいずれかを含んでいてもよい。消費者の織物物品上に残存している任意のこのような仕上げ剤の量は多様な要因に依存し、その中でも、消費者によって使用される特定の洗浄条件下における仕上げ剤の耐久性、消費者が使用した可能性のある具体的な洗剤及び添加剤、並びに物品が洗浄されたサイクルの数に依存する。各物品の履歴に応じて、仕上げ剤は、様々な程度に存在していてもよく又は本質的に存在していなくてもよいが、洗浄又はすすぎサイクルに存在する他の材料、及び着用中に遭遇する汚染物質が、当該物品上に蓄積し始める場合がある。
【００９４】
当業者は、消費者によって使用される任意の洗剤配合物が、ありとあらゆる織物物品に使用される可能性のあることを強く認識し、他とは対照的に、一部の織物物品において配合物が機能する方法とは著しく異なる可能性があるだけではなく、実際にそうなると予測する。本発明の洗濯ケア組成物に組み込まれると、ロイコ着色剤は、引き続いての洗浄により仕上げ剤が除去された新しい衣類の白色度を増加させるよりも大きく、消費者の着古した衣類の白色度を増加させることが見出された。したがって、このようなロイコ着色剤を含む洗濯ケア組成物は、より新しい衣類が、典型的には、黄変の問題を有することが少ない一方で、より古い消費者が着古した衣類が、黄変による問題を有する傾向がより大きいために、従来の色調剤よりも好ましい場合がある。本発明の洗濯ケア組成物に用いられるロイコ着色剤は、多くの従来の色調剤によって示される傾向性よりも大きい、清浄な新しい衣類よりも着古された衣類の白色度を増加させるための傾向性を有する。
【００９５】
一態様では、本発明は、ジアリールメタンロイコ、トリアリールメタンロイコ、オキサジンロイコ、チアジンロイコ、ヒドロキノンロイコ、アリールアミノフェノールロイコ、及びこれらの混合物からなる群から選択されるロイコ組成物に関する。
【００９６】
本明細書で使用するのに好適なジアリールメタンロイコ化合物としては、本明細書に記載される第２の有色状態を形成することができるジアリールメチレン誘導体が挙げられるが、これらに限定されない。好適な例としては、ミヒラーメタン、−ＯＨ基で置換されたジアリールメチレン（例えば、ミヒラーヒドロール）並びにそのエーテル及びエステル、−ＣＮ基などの光切断性部分で置換されたジアリールメチレン（ビス（パラ−Ｎ，Ｎ−ジメチル）フェニル）アセトニトリル）、並びに同様のこのような化合物が挙げられるが、これらに限定されない。
【００９７】
一態様では、本発明は、
【００９８】
【化３】
2021516729.tif 000005
（ｆ）これらの混合物
から選択される群に一致する１つ以上のロイコ化合物を含む組成物であって、
式Ｉ〜Ｖのその酸化形態に対する比は、少なくとも１：１９、１：９、又は１：３、好ましくは少なくとも１：１、より好ましくは少なくとも３：１、最も好ましくは少なくとも９：１又は更には１９：１である、組成物に関する。
【００９９】
式（Ｉ）の構造では、各環Ａ、Ｂ及びＣにおける各個々のＲｏ、Ｒｍ、及びＲｐ基は、独立して水素、重水素、及びＲ５からなる群から選択され、各Ｒ５は、独立して、ハロゲン、ニトロ、アルキル、置換アルキル、アリール、置換アリール、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２ＯＲ１、−Ｓ（Ｏ）２Ｏ−、−Ｓ（Ｏ）２ＮＲ１Ｒ２、−ＮＲ１Ｃ（Ｏ）Ｒ２、１Ｃ（Ｏ）ＯＲ２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、異なるＡ、Ｂ及びＣ環における２つのＲｏ基が結合して、５員以上の縮合環を形成してもよく、縮合環が６員以上であるとき、異なるＡ、Ｂ及びＣ環における２つのＲｏ基が結合して、所望により１つ以上のヘテロ原子を含有する有機リンカーを形成してもよく、一実施形態では、異なるＡ、Ｂ及びＣ環における２つのＲｏ基が結合して、−Ｏ−及び−Ｓ−から選択されるヘテロ原子架橋を形成して、６員縮合環を作り、同じ環におけるＲｏ及びＲｍ又は同じ環におけるＲｍ及びＲｐが結合して、縮合脂肪族環又は縮合芳香族環を形成してもよく、これら環のいずれもヘテロ原子を含有してもよく、３つの環Ａ、Ｂ又はＣの少なくとも１つにおいて、Ｒｏ及びＲｍ基の好ましくは少なくとも２つ、より好ましくは少なくとも３つ、最も好ましくは４つ全てが水素であり、好ましくは、環Ａ、Ｂ及びＣの少なくとも２つにおけるＲｏ及びＲｍ基の４つ全てが水素であり、いくつかの実施形態では、環Ａ、Ｂ及びＣにおける全てのＲｏ及びＲｍ基が水素であり、好ましくは、各Ｒｐは、独立して、水素、−ＯＲ１及び−ＮＲ１Ｒ２から選択され、Ｒｐの２つ以下、好ましくは１つ以下が水素であり、好ましくは水素は存在せず、より好ましくは、少なくとも１つ、好ましくは２つ、最も好ましくは３つ全てのＲｐが−ＮＲ１Ｒ２であり、いくつかの実施形態では、環Ａ、Ｂ及びＣの１つ又は更には２つは、所望により１つ以上の独立して選択されるＲ５基で置換されている、独立してＯ、Ｓ及びＮから選択される１又は２つのヘテロ原子を含む、独立して選択されるＣ３〜Ｃ９ヘテロアリール環で置換されてもよく、Ｇは、独立して、水素、重水素、Ｃ１〜Ｃ１６アルコキシド、フェノキシド、ビスフェノキシド、ナイトライト、ニトリル、アルキルアミン、イミダゾール、アリールアミン、ポリアルキレンオキシド、ハライド、アルキルスルフィド、アリールスルフィド、又はホスフィンオキシドからなる群から選択され、一態様では、Ｇの［（重水素）／（重水素＋水素）］の比率は、少なくとも０．２０、好ましくは少なくとも０．４０、更により好ましくは少なくとも０．５０、最も好ましくは少なくとも０．６０又は更には少なくとも０．８０であり、同じヘテロ原子に結合しているＲ１、Ｒ２及びＲ３のいずれか２つが結合して、所望により−Ｏ−、−ＮＲ１５−、及び−Ｓ−からなる群から選択される１つ以上の追加のヘテロ原子を含む５員以上の環を形成してもよい。
【０１００】
式（ＩＩ）〜（ＩＩＩ）の構造中、ｅ及びｆは、独立して、０〜４の整数であり、各Ｒ２０及びＲ２１は、独立して、ハロゲン、ニトロ基、アルキル基、置換アルキル基、−ＮＣ（Ｏ）ＯＲ１、−ＮＣ（Ｏ）ＳＲ１、−ＯＲ１、及び−ＮＲ１Ｒ２からなる群から選択され、各Ｒ２５は、独立して、単糖部分、二糖部分、オリゴ糖部分、及び多糖部分、−Ｃ（Ｏ）Ｒ１、−Ｃ（Ｏ）ＯＲ１、−Ｃ（Ｏ）ＮＲ１Ｒ２からなる群から選択され、各Ｒ２２及びＲ２３は、独立して、水素、アルキル基、及び置換アルキル基からなる群から選択される。
【０１０１】
式（ＩＶ）の構造中、Ｒ３０は、架橋アミン部分に対してオルト又はパラに位置し、−ＯＲ３８及び−ＮＲ３６Ｒ３７からなる群から選択され、各Ｒ３６及びＲ３７は、独立して、水素、アルキル基、置換アルキル基、アリール基、置換アリール基、アシル基、Ｒ４、−Ｃ（Ｏ）ＯＲ１、−Ｃ（Ｏ）Ｒ１、及び−Ｃ（Ｏ）ＮＲ１Ｒ２からなる群から選択され、Ｒ３８は、水素、アシル基、−Ｃ（Ｏ）ＯＲ１、−Ｃ（Ｏ）Ｒ１、及び−Ｃ（Ｏ）ＮＲ１Ｒ２からなる群から選択され、ｇ及びｈは、独立して、０〜４の整数であり、各Ｒ３１及びＲ３２は、独立して、アルキル基、置換アルキル基、アリール基、置換アリール基、アルカリール、置換アルカリール、−（ＣＨ２）ｎ−Ｏ−Ｒ１、−（ＣＨ２）ｎ−ＮＲ１Ｒ２、−Ｃ（Ｏ）Ｒ１、−Ｃ（Ｏ）ＯＲ１、−Ｃ（Ｏ）Ｏ−、−Ｃ（Ｏ）ＮＲ１Ｒ２、−ＯＣ（Ｏ）Ｒ１、−ＯＣ（Ｏ）ＯＲ１、−ＯＣ（Ｏ）ＮＲ１Ｒ２、−Ｓ（Ｏ）２Ｒ１、−Ｓ（Ｏ）２１、−Ｓ（Ｏ）２Ｏ−、−Ｓ（Ｏ）２ＮＲ１Ｒ２、−ＮＲ１Ｃ（Ｏ）Ｒ２、−ＮＲ１Ｃ（Ｏ）２、−ＮＲ１Ｃ（Ｏ）ＳＲ２、−ＮＲ１Ｃ（Ｏ）ＮＲ２Ｒ３、−Ｐ（Ｏ）２Ｒ１、−Ｐ（Ｏ）（ＯＲ１）２、−Ｐ（Ｏ）（ＯＲ１）Ｏ−、及び−Ｐ（Ｏ）（Ｏ−）２からなる群から選択され、添え字ｎは、０〜４、好ましくは０〜１、最も好ましくは０の整数であり、−ＮＲ３４Ｒ３５は、架橋アミン部分に対してオルト又はパラに位置し、Ｒ３４及びＲ３５は、独立して、水素、アルキル、置換アルキル、アリール、置換アリール、アルカリール、置換アルカリール、及びＲ４からなる群から選択され、Ｒ３３は、独立して、水素、−Ｓ（Ｏ）２Ｒ１、−Ｃ（Ｏ）Ｎ（Ｈ）Ｒ１、−Ｃ（Ｏ）ＯＲ１、及び−Ｃ（Ｏ）Ｒ１からなる群から選択され、ｇが２〜４である場合、任意の２つの隣接するＲ３１基が結合して、５員以上の縮合環を形成してもよく、縮合環中の原子の２つ以下が窒素原子であってもよい。
【０１０２】
式（Ｖ）の構造中、Ｘ４０は、酸素原子、硫黄原子、及びＮＲ４５からなる群から選択され、Ｒ４５は、独立して、水素、重水素、アルキル、置換アルキル、アリール、置換アリール、アルカリール、置換アルカリール、−Ｓ（Ｏ）２ＯＨ、−Ｓ（Ｏ）２Ｏ−、−Ｃ（Ｏ）ＯＲ１、−Ｃ（Ｏ）Ｒ１、及び−Ｃ（Ｏ）ＮＲ１Ｒ２からなる群から選択され、Ｒ４０及びＲ４１は、独立して、−（ＣＨ２）ｎ−Ｏ−Ｒ１、−（ＣＨ２）ｎ−ＮＲ１Ｒ２からなる群から選択され、添え字ｎは、０〜４、好ましくは０〜１、最も好ましくは０の整数であり、ｊ及びｋは、独立して、０〜３の整数であり、Ｒ４２及びＲ４３は、独立して、アルキル、置換アルキル、アリール、置換アリール、アルカルール、置換アルカリール、−Ｓ（Ｏ）２Ｒ１、−Ｃ（Ｏ）ＮＲ１Ｒ２、−ＮＣ（Ｏ）ＯＲ１、−ＮＣ（Ｏ）ＳＲ１、−Ｃ（Ｏ）ＯＲ１、−Ｃ（Ｏ）Ｒ１、−（ＣＨ２）ｎ−Ｏ−Ｒ１、−（ＣＨ２）ｎ−ＮＲ１Ｒ２からなる群から選択され、添え字ｎは、０〜４、好ましくは０〜１、最も好ましくは０の整数であり、Ｒ４４は、−Ｃ（Ｏ）Ｒ１、−Ｃ（Ｏ）ＮＲ１Ｒ２、及び−Ｃ（Ｏ）ＯＲ１である。
【０１０３】
式（Ｉ）〜（Ｖ）の構造において、前述の基のいずれかに存在する任意の電荷は、適切な独立して選択される内部又は外部対イオンと平衡化される。好適な独立して選択される外部対イオンは、カチオン性又はアニオン性であってよい。好適なカチオンの例としては、好ましくは第Ｉ族及び第ＩＩ族から選択される１種以上の金属が挙げられるが、これらに限定されず、これらのうち最も好ましいものは、Ｎａ、Ｋ、Ｍｇ、及びＣａ、又はイミニウム、アンモニウム、及びホスホニウムなどの有機カチオンである。好適なアニオンの例としては、フルオリド、クロリド、ブロミド、ヨーダイド、パークロレート、ハイドロゲンサルフェート、サルフェート、アミノサルフェート、ニトレート、ジヒドロゲンホスフェート、ハイドロゲンホスフェート、ホスフェート、ビカルボネート、カルボネート、メトサルフェート、エトサルフェート、シアネート、チオシアネート、テトラクロロジンケート、ボレート、テトラフルオロボレート、アセテート、クロロアセテート、シアノアセテート、ヒドロキシアセテート、アミノアセテート、メチルアミノアセテート、ジ−及びトリ−クロロアセテート、２−クロロ−プロピオネート、２−ヒドロキシプロピオネート、グリコレート、チオグリコレート、チオアセテート、フェノキシアセテート、トリメチルアセテート、バレレート、パルミテート、アクリレート、オキサレート、マロネート、クロトネート、スクシネート、シトレート、メチレン−ビス−チオグリコレート、エチレン−ビス−イミノアセテート、ニトリロトリアセテート、フマレート、マレエート、ベンゾエート、メチルベンゾエート、クロロベンゾエート、ジクロロベンゾエート、ヒドロキシベンゾエート、アミノベンゾエート、フタレート、テレフタレート、インドリルアセテート、クロロベンゼンスルホネート、ベンゼンスルホネート、トルエンスルホネート、ビフェニルスルホネート、及びクロロトルエンスルホン酸が挙げられるが、これらに限定されない。当業者は、上に列挙したものの代わりに使用することができる異なる対イオンを十分に認識している。
【０１０４】
式（Ｉ）〜（Ｖ）の構造中、Ｒ１、Ｒ２、Ｒ３、及びＲ１５は、独立して、水素、アルキル、置換アルキル、アリール、置換アリール、アルカリール、置換アルカリール、及びＲ４からなる群から選択され、式中、Ｒ４は、２８〜５００、好ましくは４３〜３５０、更により好ましくは４３〜２５０の範囲のモノマー分子量を有する１つ以上の有機モノマーから構成される有機基であり、この有機基は、式Ｉ〜Ｖの構造に一致する１つ以上の追加のロイコ着色剤部分で置換され得る。一態様では、Ｒ４は、アルキレンオキシ（ポリエーテル）、オキソアルキレンオキシ（ポリエステル）、オキソアルキレンアミン（ポリアミド）、エピクロロヒドリン、四級化エピクロロヒドリン、アルキレンアミン、ヒドロキシアルキレン、アシルオキシアルキレン、カルボキシアルキレン、カルボアルコキシアルキレン、及び糖からなる群から選択される。一態様では、Ｒ４は、ＥＯ、ＰＯ、ＢＯ、及びこれらの混合物から選択され、より好ましくは、ＥＯのみ又はＥＯ／ＰＯ混合物から選択される。任意のロイコ着色剤が３つ以上の連続するモノマーを有するＲ４基を含む場合、そのロイコ着色剤は、本明細書において「高分子ロイコ着色剤」として定義される。当業者は、溶解度、分配、付着、除去、染色などの多くの特性属性のいずれかに関する化合物の特性が、その中に組み込まれるこのような連続するモノマーの配置、同一性、及び数に関連することを承知している。したがって、当業者は、このような連続するモノマーの配置、同一性、及び数を調整して、程度の差はあれ予測可能な様式で任意の特定の属性を変化させることができる。
【０１０５】
好ましいロイコ着色剤としては、式ＶＩの構造に一致するものが挙げられる：
【０１０６】
【化４】
2021516729.tif 000006
（式中、各Ｒ４は、独立して、Ｈ、メチル、エチル、（（ＣＨ２ＣＨ２Ｏ）ａ（Ｃ３Ｈ６Ｏ）ｂ）Ｈ、及びこれらの混合物からなる群から独立して選択され、好ましくは、少なくとも１つのＲ４基は、（（ＣＨ２ＣＨ２Ｏ）ａ（Ｃ３Ｈ６Ｏ）ｂ）Ｈであり、各添え字ａは、独立して、１〜１００の整数であり、各添え字ｂは、独立して、０〜５０の整数であり、全てのＲ４基中の全ての独立して選択されるａ整数の合計は、２００以下、好ましくは１００以下であり、全てのＲ４基中の全ての独立して選択されるｂ整数の合計は、１００以下、好ましくは５０以下である）。好ましくは、少なくとも２つのＲ４基は、メチル及びエチルから選択され、最も好ましくは、構造ＶＩ中の少なくとも１つのＮは、メチル及びエチルから選択される２つのＲ４基、好ましくはＭｅで置換される。
【０１０７】
非常に好ましいロイコ着色剤としては、式ＶＩＩの構造に一致するものが挙げられる：
【０１０８】
【化５】
2021516729.tif 000007
（式中、各添え字ｃは、独立して、０、１又は２であり、好ましくは、各ｃは１であり、各Ｒ４は、独立して、Ｈ、Ｍｅ、Ｅｔ、（（ＣＨ２ＣＨ２Ｏ）ａ（Ｃ３Ｈ６Ｏ）ｂ）Ｈ、及びこれらの混合物からなる群から選択され、好ましくは、各Ｒ４は（（ＣＨ２ＣＨ２Ｏ）ａ（Ｃ３Ｈ６Ｏ）ｂ）Ｈであり、各添え字ａは、独立して、１〜５０、より好ましくは１〜２５、更により好ましくは１〜２０、１〜１５、１〜１０、１〜５又は更には１〜２の整数であり、各添え字ｂは、独立して、０〜２５、より好ましくは０〜１５、更により好ましくは１〜５又は更には１〜３の整数であり、ロイコ着色剤中の全ての独立して選択されるａ整数の合計は、１００以下、より好ましくは８０以下、最も好ましくは６０、４０、２０、１０以下又は更には５以下であり、ロイコ着色剤中の全ての独立して選択されるｂ整数の合計は、５０以下、より好ましくは４０以下、最も好ましくは３０、２０、又は更には１０以下である）。特に好ましい態様では、各添え字ｃは１であり、各Ｒ４は（（ＣＨ２ＣＨ２Ｏ）ａ（Ｃ３Ｈ６Ｏ）ｂ）Ｈであり、各添え字ａは１〜５の整数であり、各添え字ｂは、１〜５の整数であり、ロイコ化合物中の全ての独立して選択される整数ａの合計は４〜１０であり、ロイコ着色剤中の全ての独立して選択される整数ｂの合計は５〜１５である。
【０１０９】
別の態様では、非常に好ましいロイコ化合物としては、式（ＶＶＩＩＩ）の構造に一致するものが挙げられる：
【０１１０】
【化６】
2021516729.tif 000008
（式中、Ｒ８はＨ又はＣＨ３であり、各添え字ｂは、独立して、平均して約１〜２である）。
【０１１１】
本明細書に記載のロイコトリアリールメタン化合物は、任意の好適な合成方法によって生成することができる。例えば、このような化合物は、芳香族アルデヒドと電子豊富なアリールカップラー（例えば、１モル当量の芳香族アルデヒドに対して約２モル当量のアリールカップラーの量で）との間の酸触媒縮合反応を介して生成することができる。芳香族アルデヒドは、それに共有結合したアルデヒド基を有する芳香族部分（例えば、アリール部分、置換アリール部分、複素芳香族部分、又は置換複素芳香族部分）を含む任意の好適な化合物であり得る。一態様では、芳香族アルデヒドは、好ましくはアルデヒド基に対してパラ位に構造−ＯＲ１又は−ＮＲ１Ｒ２を有する基を含む置換ベンズアルデヒドであることが好ましい。別の態様では、芳香族アルデヒドは、好ましくは、アルデヒド基に対してパラ位にある基−ＮＲ１Ｒ２（式中、Ｒ１及びＲ２は、水素、メチル、又はエチル（より好ましくはメチル）からなる群から選択される）を含む置換ベンズアルデヒドである。
【０１１２】
上記のように、縮合反応は、芳香族アルデヒドに加えて、アリールカップラーを利用する。ロイコトリアリールメタン化合物を生成するために、縮合反応は、概して、芳香族アルデヒドのモル当量ごとに少なくとも２モル当量のアリールカップラーを利用する。一態様では、反応に利用される２モル当量のアリールカップラーは、単一のアリールカップラー化合物を使用して提供することができる。別の態様では、反応は、２つ以上の別個のアリールカップラーの混合物の２モル当量を使用して実施することができる。このような実施形態では、２つ以上の別個のアリールカップラーを、任意の組み合わせ又は相対比で使用することができ、但し、混合物の合計は、芳香族アルデヒドのモル当量ごとに少なくとも約２モル当量のアリールカップラーとすべきである。このような実施形態では、２つ以上の別個のアリールカップラーは、例えば、アリール部分に結合した置換基の数及び／又は性質に関して異なり得る。一態様では、反応は、オキシアルキレン基の第１の分布を有する第１のオキシアルキレン又はポリオキシアルキレン部分を含む第１のアリールカップラー、及び、第１の分布とは異なるオキシアルキレン基の第２の分布を有する第２のオキシアルキレン又はポリオキシアルキレン部分を含む第２のアリールカップラーを利用することができる。例えば、一態様では、第１のアリールカップラーは、以下のＡＣ−Ｉなどのエチレンオキシド基からなるオキシアルキレン部分を含むことができ、第２のアリールカップラーは、以下のＡＣ−ＩＩなどのエチレンオキシド基及びプロピレンオキシド基からなるポリオキシアルキレン部分を含むことができる。
【０１１３】
【化７】
2021516729.tif 000009
式中、添え字ａ、ｂ、ｃ及びｄは、独立して、０〜５の整数から選択され、ＡＣ−Ｉ及びＡＣ−ＩＩから選択されるカップラーのａ及びｂの合計は２〜１０であり、ＡＣ−ＩＩ中のｃ及びｄの合計は２〜１０である。より具体的な態様では、ＡＣ−Ｉ及びＡＣ−ＩＩから選択されるカップラーのａ及びｂの合計は２〜５であり、ＡＣ−ＩＩ中のｃ及びｄの合計は２〜５である。一実施形態では、ＡＣ−Ｉにおける添え字ａ及びｂの合計は２又は３であり、ＡＣ−ＩＩにおける添え字ａ及びｂの合計は２又は３であり、ＡＣ−ＩＩにおける添え字ｃ及びｄの合計は、１〜５、好ましくは２〜４、又は更には２〜３である。カップラーＡＣ−Ｉ及びＡＣ−ＩＩは、任意の割合で組み合わせることができるが、但し、使用されるカップラーの量は、ロイコ化合物を生じさせる酸触媒縮合反応に使用される芳香族アルデヒドの当量に対して少なくとも２モル当量を提供するのに十分であるべきである。
【０１１４】
一態様では、例えば、１当量のパラ−Ｎ，Ｎ−ジメチルベンズアルデヒドは、少なくとも２モル当量の上記のアリールカップラーＡＣ−Ｉ及びＡＣ−ＩＩの混合物で縮合され、アリールカップラーＡＣ−Ｉについては、添え字ａ及びｂの合計は２又は３、好ましくは２であり、好ましくは、ａ及びｂは各々１であり、アリールカップラーＡＣ−ＩＩについては、添え字ａ及びｂの合計は２又は３、好ましくは２であり、好ましくはａ及びｂはそれぞれ１であり、添え字ｃ及びｄの合計は、平均して約２．５〜３．０であり、ｃ又はｄのうちの少なくとも１つは１である。
【０１１５】
理解されるように、任意のロイコ着色剤が、前駆材料２０及び粒子９０への組み込みに好適であり得る。
【０１１６】
香料
前駆材料２０、したがって粒子９０は、前駆材料２０、ひいては粒子９０中のＰＥＧ及びロイコ着色剤に加えて、０．１重量％〜約２０重量％の香料を更に含むことができる。あるいは、粒子９０、前駆材料２０、したがって粒子９０は、香料を実質的に含まなくてもよい、又は含まなくてもよい。香料は、非カプセル封入香料、カプセル封入香料、香料送達技術によってもたらされた香料、又は何らかの他の方法でもたらされた香料であってよい。香料は、概して、米国特許第７，１８６，６８０号の第１０欄５６行〜第２５欄２２行に記載されている。前駆材料２０、したがって粒子９０は非カプセル封入香料を含んでよく、香料マイクロカプセルなど香料担体を本質的に含まない。前駆材料２０、したがって粒子９０は、香料担体材料（及びその中に含まれる香料）を含んでよい。香料担体材料の例は、米国特許第７，１８６，６８０号の第２５欄２３行〜第３１欄７行に記載されている。香料担体材料の具体例としては、シクロデキストリン及びゼオライトを挙げることができる。
【０１１７】
前駆材料２０、したがって粒子９０は、前駆材料２０、したがって粒子９０の約０．１重量％〜約２０重量％、あるいは約１重量％〜約１５重量％、あるいは２重量％〜約１０重量％、あるいはこれらの組み合わせ及び前述のあらゆる範囲内の任意の全百分率の香料を含んでよい。前駆材料２０、したがって粒子９０は、前駆材料２０又は粒子９０の約０．１重量％〜約６重量％の香料を含み得る。この香料は、非カプセル封入香料であるか、カプセル封入香料であってよい。
【０１１８】
前駆材料２０、したがって粒子９０は、香料担体を含まなくてよい、又は実質的に含まなくてよい。前駆材料２０、したがって粒子９０は、前駆材料２０、したがって粒子９０の約０．１重量％〜約２０重量％、あるいは約１重量％〜約１５重量％、あるいは２重量％〜約１０重量％、あるいはこれらの組み合わせ及び前述のあらゆる範囲内の任意の全百分率の非カプセル封入香料を含んでよい。
【０１１９】
前駆材料２０、したがって粒子９０は、非カプセル封入香料及び香料マイクロカプセルを含んでよい。前駆材料２０、したがって粒子９０は、前駆材料２０、したがって粒子９０の約０．１重量％〜約２０重量％、あるいは約１重量％〜約１５重量％、あるいは約２重量％〜約１０重量％、あるいはこれらの組み合わせ及び前述のあらゆる範囲内のあらゆる全百分率又は全百分率の範囲の非カプセル封入香料を含んでよい。非カプセル封入香料のかかる濃度は、非カプセル封入香料を有する、本明細書に開示する任意の前駆材料２０、したがって粒子９０にとっても適切であり得る。
【０１２０】
前駆材料２０、したがって粒子９０は、非カプセル封入香料及び香料マイクロカプセルを含んでよいが、他の香料担体を含まなくてよい、又は実質的に含まなくてよい。前駆材料２０、したがって粒子９０は、非カプセル封入香料及び香料マイクロカプセルを含んでよく、かつ他の香料担体を含まなくてよい。
【０１２１】
前駆材料２０、したがって粒子９０は、カプセル封入香料を含んでよい。カプセル封入香料は、複数の香料マイクロカプセルとして提供され得る。香料マイクロカプセルは、シェル内に封入された香料オイルである。シェルは、香料コアの最大寸法未満の平均シェル厚を有し得る。香料マイクロカプセルは、破砕しやすい香料マイクロカプセルであってもよい。香料マイクロカプセルは、水分活性化香料マイクロカプセルであってよい。
【０１２２】
香料マイクロカプセルは、メラミン／ホルムアルデヒドシェルを含んでもよい。香料マイクロカプセルは、Ａｐｐｌｅｔｏｎ、Ｑｕｅｓｔ  Ｉｎｔｅｒｎａｔｉｏｎａｌ、又はＩｎｔｅｒｎａｔｉｏｎａｌ  Ｆｌａｖｏｒ  ＆  Ｆｒａｇｒａｎｃｅｓ又は他の好適な供給元から得てもよい。香料マイクロカプセルのシェルは、香料マイクロカプセルの衣類への付着性を高めるためにポリマーでコーティングされてよい。このことは、粒子９０が布地処理組成物として設計されている場合に望ましい。香料マイクロカプセルは、米国特許出願公開第２００８／０３０５９８２号に記載のものでよい。
【０１２３】
前駆材料２０、したがって粒子９０は、前駆材料２０、又は粒子９０の約０．１重量％〜約２０重量％、あるいは約１重量％〜約１５重量％、あるいは２重量％〜約１０重量％、あるいはこれらの組み合わせ及び前述のあらゆる範囲内の任意の全百分率のカプセル封入香料を含んでよい。
【０１２４】
前駆材料２０、したがって粒子９０は、香料マイクロカプセルを含んでよいが、非カプセル封入香料を含まなくてよい、又は実質的に含まなくてよい。前駆材料２０、したがって粒子９０は、前駆材料２０、又は粒子９０の約０．１重量％〜約２０重量％、あるいは約１重量％〜約１５重量％、あるいは約２重量％〜約１０重量％、あるいはこれらの組み合わせ及び前述のあらゆる範囲内の任意の全百分率のカプセル封入香料を含んでよい。
【０１２５】
前駆材料２０は、溶融ＰＥＧをバッチミキサー１０に供給することによって調製されてよい。バッチミキサー１０は、所望の温度で前駆材料２０を調製することに役立つように加熱されてよい。存在する場合、ロイコ着色剤及び香料を、溶融したＰＥＧに添加してよい。存在する場合、美的染料もまたバッチミキサー１０に添加してよい。必要に応じて、他の補助材料を前駆材料２０に加えてよい。前駆材料２０は、インライン混合又は材料を混合するための他の既知の方法によって所望により調製されてよい。
【０１２６】
美的染料を使用する場合、前駆材料２０及び粒子９０は美的染料を含んでよい。前駆材料２０、したがって粒子９０は、前駆材料２０又は粒子９０の重量に対して、約０．１％未満、あるいは約０．００１％〜約０．１％、あるいは約０．０１％〜約０．０２％、あるいはこれらの組み合わせ、及び前述の範囲のいずれかの中の百分の数パーセント、又は百分の数パーセントの範囲の美的染料を含んでよい。好適な美的染料の例としては、Ｍｉｌｌｉｋｅｎ  Ｃｈｅｍｉｃａｌから入手可能なＬＩＱＵＩＴＩＮＴ  ＰＩＮＫ  ＡＭ、ＡＱＵＡ  ＡＳ、ＣＹＡＮ  １５、及びＶＩＯＬＥＴ  ＦＬが挙げられるが、これらに限定されない。
【０１２７】
粒子９０は様々な形状を有してよい。粒子９０は、錠状、ピル状、球状など、様々な形状に形成されてよい。粒子９０は、球形、半球形、圧縮半球形、扁豆形、及び長円形からなる群から選択される形状を有してよい。扁豆形とは、レンズ豆の形状を指す。圧縮半球形は、同じ半径を有する半球形の湾曲よりも、曲面の湾曲が平均して少なくなるように少なくとも部分的に平らな半球形状に対応する形状を指す。圧縮半球形粒子９０は、約０．０１〜約０．４、あるいは約０．１〜約０．４、あるいは約０．２〜約０．３の高さ対最大基底寸法の比率を有してよい。楕円形とは、最大寸法及び最大寸法に直交する最大二次寸法を有する形状を指し、最大寸法対最大二次寸法の比率は約１．２を超える。長円形は、最大二次基底寸法に対する最大基底寸法の比率が約１．５超であり得る。長円形は、最大二次基底寸法に対する最大基底寸法の比率が約２超であり得る。長円形粒子は、約２ｍｍ〜約６ｍｍの最大基底寸法、約２ｍｍ〜約６ｍｍの最大二次基底寸法を有することができる。
【０１２８】
個々の粒子９０は、約０．１ｍｇ〜約５ｇ、あるいは約１０ｍｇ〜約１ｇ、あるいは約１０ｍｇ〜約５００ｍｇ、あるいは約１０ｍｇ〜約２５０ｍｇ、あるいは約０．９５ｍｇ〜約１２５ｍｇ、あるいはこれらの組み合わせ及び前述のあらゆる範囲の整数又は整数の範囲の質量を有してよい。複数の粒子９０においては、個々の粒子は、球形、半球形、圧縮半球形、扁豆形、及び長円形からなる群から選択される形状を有してよい。
【０１２９】
個々の粒子は、約０．００３ｃｍ３〜約０．１５ｃｍ３の体積を有してよい。多数の粒子９０は、洗濯機又は洗濯用容器に投入する単回用量を集合的に構成し得る。単回用量の粒子９０は、洗濯する布地３ｋｇあたり、約０．１ｇ〜約２００ｇ、又は約０．５ｇ〜約１００ｇ、又は約２．０ｇ〜約６０ｇ、又は約５ｇ〜約２５ｇの粒子を含んでよい。単回用量の粒子９０は、約１ｇ〜約２７ｇを構成し得る。粒子９０の単回用量は、約５ｇ〜約２７ｇ、あるいは約１３ｇ〜約２７ｇ、あるいは約１４ｇ〜約２０ｇ、あるいは約１５ｇ〜約１９ｇ、あるいは約１８ｇ〜約１９ｇ、あるいはこれらの組み合わせ及び前述のあらゆる全グラム値又は全グラム値の範囲を構成し得る。用量を構成し得る粒子９０の用量を形成する個々の粒子９０は、約０．９５ｍｇ〜約２ｇの質を有することができる。複数の粒子９０、異なるサイズ、形状、及び／又は質量を有する粒子から構成することができる。単回用量の粒子９０は、約１ｃｍ未満の最大寸法を有し得る。
【０１３０】
本明細書に記載のように製造できる粒子９０を図４に示す。図４は、単一の粒子９０の輪郭図である。粒子９０は、実質的に平坦な基底１５０及び高さＨを有することができる。粒子９０の高さＨは、実質的に平坦な基底１５０に直交する方向での粒子９０の最大範囲として測定される。高さＨは、粒子９０の輪郭図を分析するための画像分析ソフトウェアを使用して簡便に測定できる。
【０１３１】
ガスが前駆材料２０に混入され、それにより形成した粒子９０が当該粒子中に混入されたガスを有する、粒子９０を形成するための方法は、液体中に浮遊する粒子９０を供給するのに実用的であり得る。特定の液体中に浮遊する粒子９０は、粒子を使用できる、様々な工業方法及び家庭での方法において実用的であり得る。
【０１３２】
混入されたガスを有する粒子９０は、ガス封入体と、固体材料又は液体材料と、からなる。これらの実施形態における粒子９０は、当該粒子中に含まれるガスを有するため、粒子９０は、粒子９０を形成する構成要素の固体及び／又は液体材料の密度未満の密度を有する。例えば、粒子９０が、１ｇ／ｃｍ３の密度を有する構成材料で形成され、粒子９０が１０体積％の空気を含む場合、粒子９０の密度は０．９０ｇ／ｃｍ３である。
【０１３３】
粒子９０は、図５に示すように、複数の粒子９０を含む洗濯ケア組成物１６０として合わせてパッケージ化され得る。粒子は担体、ロイコ着色剤、香料、及びガス吸蔵体を含むことができる。理論に束縛されるものではないが、球状のガス吸蔵体は、他形状を有するガス吸蔵体を有する粒子９０と比較して、改善された粒子９０の強度をもたらすと考えられる。球状のガス吸蔵体は、非球状のガス吸蔵体よりも向上した強度をもたらし得る。
【０１３４】
気体吸蔵体を含まない実施形態において、粒子９０のうち少なくとも８０％、９０％、９５％、ほぼ全ては、約１ｇ／ｃｍ３を超え、好ましくは約１．２５ｇ／ｃｍ３未満の密度を有することができる。空気吸蔵体を含まない実施形態において、粒子９０のうち少なくとも８０％、９０％、９５％、ほぼ全ては、約０．９５ｇ／ｃｍ３未満の密度を有することができる。典型的な洗浄溶液の密度が約１ｇ／ｃｍ３であるため、約１ｇ／ｃｍ３を超える、又は、いくつかの実施形態においては、約０．９５ｇ／ｃｍ３未満の密度を有する粒子９０を提供するのが望ましい可能性がある。粒子９０のほとんど全てを、約１ｇ／ｃｍ３を超える密度とすることが、洗浄液中に沈む粒子９０をもたらすのに望ましい可能性がある。ほぼ全ての粒子９０に約１ｇ／ｃｍ３未満の密度を有させることは、洗浄溶液中に浮遊する粒子９０をもたらすために望ましいものであり得る。
【０１３５】
粒子９０のうち少なくとも８０％、９０％、９５％、ほぼ全ては、約０．１ｍｇ〜約５ｇの質量を有し得る。粒子９０は、約２０ｍｍ未満の最大寸法を有し得る。粒子９０は、約１０ｍｍ未満の最大寸法を有し得る。このような質量及び最大寸法を有する粒子９０は、衣類の洗濯に用いられる洗浄液等の溶液中で速やかに溶解可能であると考えられる。
【０１３６】
粒子９０のそれぞれは体積を有することができ、粒子９０内のガス吸蔵体は、粒子９０の約０．５体積％〜約５０体積％、あるいは粒子の約１体積％〜約２０体積％、あるいは粒子の約２体積％〜約１５体積％、あるいは、粒子の約４体積％〜約１２体積％を構成し得る。理論に束縛されるものではないが、ガス吸蔵体の体積が大きすぎる場合、粒子９０は、望ましくない様式で破断せずにパッケージ化、出荷、保管、及び使用するのに十分な強度を備えないことがあると考えられる。
【０１３７】
吸蔵体は、約１マイクロメートル〜約２０００マイクロメートル、又は更には約５マイクロメートル〜約１０００マイクロメートル、又は更には約５マイクロメートル〜約２００マイクロメートル、又は更には約２５〜約５０マイクロメートルの有効径を有してよい。一般に、小さいガス吸蔵体は、大きいガス吸蔵体よりも望ましいと考えられる。ガス吸蔵体の有効径が大きすぎると、粒子は、望ましくない方法で破断せずにパッケージ化、出荷、保管、及び使用するのに十分な強度を備えないと考えられる。有効径は、ガス吸蔵体と同一の体積を有する球形の直径である。ガス吸蔵体は、球状のガス吸蔵体であってよい。
【０１３８】
粒子９０は以下のように製造できる。５０ｋｇの前駆材料２０のバッチをミキサーで調製してよい。溶融したＰＥＧ８０００を、７０℃に保持したジャケット付きミキサーに添加し、ピッチブレードアジテータを用いて１２５ｒｐｍで撹拌してよい。前駆材料２０の０．０１重量％の量でブチル化ヒドロキシトルエンをミキサーに加えてよい。前駆材料２０の１．０８重量％の量でジプロピレングリコールをミキサーに加えてよい。前駆材料２０の４．０４重量％の量で香料マイクロカプセルの水性スラリーをミキサーに加えてよい。前駆材料２０の７．５０重量％の量で非カプセル封入香料をミキサーに加えてよい。前駆材料２０の０．００９５重量％の量でロイコ着色剤をミキサーに加えてよい。ＰＥＧは、前駆材料２０の８７．３６重量％を占めてよい。前駆材料２０は、３０分間混合されてよい。
【０１３９】
前駆材料２０は、７５０ｍｍ幅、１０ｍ長のベルトを有するＳＡＮＤＶＩＫ  ＲＯＴＯＦＯＲＭ  ３０００で粒子９０に形成されてよい。シリンダー１１０は、機械横断方向ＣＤに１０ｍｍピッチ、機械方向ＭＤに９．３５ｍｍピッチで設定された２ｍｍ径の孔６０を有してよい。シリンダーは、ベルトの上約３ｍｍに設置してよい。ベルト速度及びシリンダー１１０の回転速度は、１０ｍ／分に設定できる。
【０１４０】
前駆材料２０を混合した後、前駆材料２０をミキサー１０から、プレート及びフレーム熱交換器セットを通して３．１ｋｇ／分の一定速度で押し出し、出口温度を５０℃に制御することができる。
【０１４１】
約０．５体積％〜約５０体積％の量で、空気又は別のガスを前駆材料２０に混入してよい。混入させた空気又は別のガスを有する前駆材料２０に、中型ローター／ステーター要素を備えたＱｕａｄｒｏ  Ｚ１ミルを通過させることができる。粉砕後、前駆材料に、所望により、ステーター１００の９１．４４ｃｍ上流に設置したＫｅｎｉｃｓ  １．９０５ｃｍ  ＫＭＳ  ６静的ミキサー５０を通過させることができる。
【０１４２】
表１は、作製可能な粒子９０の配合物を一覧にしている。理解されるように、多くの追加の配合物を調製することができ、以下に示すものは、決して限定することを意図するものではない。
【０１４３】
【表１】
2021516729.tif 000010
【実施例】
【０１４４】
本明細書で使用される布地見本は、Ｔｅｓｔｆａｂｒｉｃｓ，Ｉｎｃ．（Ｗｅｓｔ  Ｐｉｔｔｓｔｏｎ，ＰＡ）から入手したものであり、１００％綿、Ｓｔｙｌｅ  ４０３（４インチ×４インチに切り出し）である。使用前に、増白剤なしの強力液体洗濯洗剤（水溶液中１．５５ｇ／Ｌ）により４９℃で２回洗浄することによって見本を細片にし、洗浄前に細片にされた見本上で反射率測定が行われる。乾燥布地見本について、Ｌ＊、ａ＊、ｂ＊、及び白色度指数（ＷＩ  ＣＩＥ）値を含む、全ての反射スペクトル及び色測定は、ＬａｂＳｃａｎ  ＸＥ反射分光光度計（ＨｕｎｔｅｒＬａｂｓ（Ｒｅｓｔｏｎ，ＶＡ）、Ｄ６５光源、１０度視野、紫外光は含まず）を使用し、行われた。
【０１４５】
ポリエチレングリコールビーズの３つの独自のサンプルを調製し、１つは着色剤を含まず（対照ビーズＣ）、別のものは従来のシェーディング染料を含有し（ビーズＳ）、更に別のものはロイコ着色剤を含んだ（ビーズＬ）。ビーズを調製するための全般的な手順は、ホットプレートを８５℃の温度に設定することと、適切な成分を計量することと、ビーカー内でそれらを一緒に混合することと、ビーカーをホットプレート上に置くことと、内容物を適正温度にすることと、その後、混合物を、均一なサイズのビーズを作製するために型内に手でピペッティングすることと、放冷することと、を伴う。このように形成された個々のビーズは、４つのこのような約０．１４０〜０．１４５ｇに秤量されたビーズのサイズのものであった。３つのビーズの組成を以下の表に示す。
【０１４６】
【表２】
2021516729.tif 000011
ａＰＥＧ２００中５重量％の染料１を含有。
ｂロイコ着色剤２は、ＰＥＧ２００中３３重量％活性。
【０１４７】
染料１及びロイコ着色剤２の構造を以下に示す。ビーズＳは０．２０重量％のシェーディング染料を含有し、ビーズＬは０．２０重量％活性のロイコ着色剤２を含有していた。
【０１４８】
【化８】
2021516729.tif 000012
【０１４９】
試験洗浄溶液は、１つのＴｉｄｅ  Ｆｒｅｅ  ＆  Ｇｅｎｔｌｅ  Ｐｏｄを、３．０ＬのＤＩ水に室温で溶解させることによって調製した。溶解させてから、６３．５５ｇの得られた溶液を１．３ＬのＤＩ水に添加して、最終洗浄溶液を調製した。これは、約６４Ｌの水を入れた縦型洗濯機に１つのこのようなＰｏｄを溶解させることと等価である。
【０１５０】
４つの５００ｍＬ三角フラスコのそれぞれに、３つの試験見本及び２３０ｍＬの洗浄溶液を、２つの１０ｍｍの原料ガラスと共に充填した。各フラスコに１０，０００ｇｐｇ硬度の原液を投入して、６ｇｐｇ（３：１、Ｃａ：Ｍｇ）の最終洗浄硬度を得る。これらの処理のための液と布地との比は、２５：１であった。１つの洗浄溶液には、ビーズを添加しなかった。他の３つは各々、以下に示されるような重量で添加された４つのビーズを有した。
【０１５１】
【表３】
2021516729.tif 000013
【０１５２】
フラスコをＭｏｄｅｌ  ７５リストアクションシェーカー（Ｂｕｒｒｅｌｌ  Ｓｃｉｅｎｔｉｆｉｃ，Ｉｎｃ．（Ｐｉｔｔｓｂｕｒｇ，ＰＡ））上に置き、最大設定で１２分攪拌した後、洗浄溶液を吸引除去し、用いられた洗浄溶液量と等価のすすぎ水（０ｇｐｇ）を添加した後、更に４分間攪拌する。すすぎ水を吸引によって除去し、布地見本を２分間脱水し（Ｍｉｎｉ  Ｃｏｕｎｔｅｒｔｏｐ  Ｓｐｉｎ  Ｄｒｙｅｒ、Ｔｈｅ  Ｌａｕｎｄｒｙ  Ａｌｔｅｒｎａｔｉｖｅ  Ｉｎｃ．（Ｎａｓｈｕａ，ＮＨ））、次いで、１３５°Ｆに設定された食品脱水機内に入れて、暗所で２時間乾燥させる。
【０１５３】
反射率測定は、乾燥後２時間及び４８時間で行われる。各洗浄処理のために作製された３つの見本のＷＩ  ＣＩＥ値を平均し、洗浄時の白色度指数の変化を、次式を用いて計算する。
ΔＷＩ＝ＷＩ  ＣＩＥ（洗浄後）−ＷＩ  ＣＩＥ（洗浄前）
【０１５４】
３つのビーズの添加による白色度指数の変化はδΔＷＩ  ＣＩＥとして計算され、以下の表に含まれる。
【０１５５】
【表４】
2021516729.tif 000014
【０１５６】
洗浄にＰＥＧのみのビーズ（ビーズＣ）を添加することは、そこで洗浄された布地の白色度に影響を及ぼさない。シェーディング染料１及びロイコ着色剤２の両方が、白色度効果をもたらす。これは、洗浄溶液に添加したときに、ロイコ着色剤２を含有するビーズＬが、布地に白化をもたらすことができる、従来のシェーディング染料を含有するビーズＳのものと２時間で匹敵するものになり、４８時間で優れたものになるδΔＷＩ値から明らかである。
【０１５７】
本明細書にて開示された寸法及び値は、列挙された正確な数値に厳密に限定されるものとして理解されるべきではない。その代わりに、特に指示がない限り、このような寸法はそれぞれ、列挙された値とその値を囲む機能的に同等な範囲との両方を意味することが意図されている。例えば、「４０ｍｍ」と開示された寸法は、「約４０ｍｍ」を意味することが意図される。
【０１５８】
相互参照される又は関連する全ての特許又は特許出願、及び本願が優先権又はその利益を主張する任意の特許出願又は特許を含む、本願に引用される全ての文書は、除外又は限定することを明言しない限りにおいて、参照によりその全体が本明細書に組み込まれる。いかなる文献の引用も、本明細書中で開示又は特許請求される任意の発明に対する先行技術であるとは見なされず、あるいはそれを単独で又は他の任意の参考文献（単数又は複数）と組み合わせたときに、そのような発明全てを教示、示唆又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０１５９】
本発明の特定の実施形態を例示及び説明してきたが、本発明の趣旨及び範囲から逸脱することなく他の様々な変更及び修正を行うことができる点は当業者には明白であろう。したがって、本発明の範囲内にあるそのような全ての変更及び修正を添付の特許請求の範囲に網羅することが意図されている。
【図１】
2021516729.tif 000019
【図２】
2021516729.tif 000020
【図３】
2021516729.tif 000021
【図４】
2021516729.tif 000022
【図５】
2021516729.tif 000023
【国際調査報告】
2021516729.tif 000024
2021516729.tif 000025
2021516729.tif 000026